(57)【要約】  ワイヤレス通信のための方法、システム、およびデバイスが説明される。第1の持続時間のTTIを使用する通信のために第1のCSI報告構成が使用されてよく、第2の持続時間のTTIを使用する通信のために第2のCSI報告構成が使用されてよい。第1および/または第2の構成に基づく、CSIを報告すべきかどうかの決定が行われてよく、決定に基づいてCSI報告が送信されてよい。場合によっては、第1のCSI報告構成に対するCSIは、第2のCSI報告構成に対するCSIとは異なって決定される。たとえば、CSI報告構成は、それぞれのCSIを計算するとき、異なる基準リソースおよび/または基準信号リソースを使用してよい。場合によっては、第1および第2のCSI報告構成は、独立してまたは共同してのいずれかで動作させられてよい第1のCSIプロセスおよび第2のCSIプロセスとして構成され得る。
2020530686.tif 000002
【特許請求の範囲】
【請求項１】
ワイヤレスデバイスにおけるワイヤレス通信のための方法であって、
第1の持続時間の送信時間区間(TTI)に関連する第1のチャネル状態情報(CSI)報告構成を識別するステップと、
前記第1の持続時間よりも短い第2の持続時間のTTIに関連する第2のCSI報告構成を識別するステップと、
前記第1のCSI報告構成もしくは前記第2のCSI報告構成、またはその両方に対して、CSIを報告すべきかどうかを決定するステップと、
前記決定に従ってCSI報告を送信するステップと
を備える方法。
【請求項２】
前記第2のCSI報告構成に対するCSIを決定するための、前記第2の持続時間のTTIの中の少なくとも1つの基準リソースを識別するステップ
をさらに備える、請求項1に記載の方法。
【請求項３】
第1の周期性、第2の周期性、第1のオフセット、および第2のオフセットを備える構成情報を受信するステップをさらに備え、
前記少なくとも1つの基準リソースを識別するステップが、
前記第1の周期性および前記第1のオフセットに基づいて、前記第1の持続時間のTTIの第1のセットを前記第1のCSI報告構成に対して識別するステップと、
前記第2の周期性および前記第2のオフセットに基づいて、前記第2の持続時間のTTIの第2のセットを前記第2のCSI報告構成に対して識別するステップと
を備える、請求項2に記載の方法。
【請求項４】
前記第1の持続時間の第1のTTI中に、前記CSI報告を求める要求を受信するステップをさらに備え、前記要求が、報告リソースをスケジュールし、前記少なくとも1つの基準リソースを識別するステップが、前記第2のCSI報告構成に対して前記CSIを報告すべきと決定することに少なくとも部分的に基づいて前記第2の持続時間の第2のTTIを識別するステップを備え、前記第2のTTIが、前記報告リソースに対して識別される、
請求項2に記載の方法。
【請求項５】
前記要求が、前記第1のTTI中に出現する、前記第2の持続時間の第3のTTIの中で受信される、請求項4に記載の方法。
【請求項６】
前記第1の持続時間の第1のTTI中に、前記CSI報告を求める要求を受信するステップをさらに備え、前記少なくとも1つの基準リソースを識別するステップが、前記第2のCSI報告構成に対して前記CSIを報告すべきと決定することに少なくとも部分的に基づいて前記第2の持続時間の第2のTTIを識別するステップを備え、前記第2のTTIが、前記少なくとも1つの基準リソースを備えるとともに前記第1のTTI中に出現する、
請求項2に記載の方法。
【請求項７】
前記第1の持続時間の第1のTTI中に、前記CSI報告を求める要求を受信するステップをさらに備え、前記少なくとも1つの基準リソースを識別するステップが、前記第2のCSI報告構成に対して前記CSIを報告すべきと決定することに少なくとも部分的に基づいて前記第2の持続時間の第2のTTIを識別するステップを備え、前記第2のTTIが、前記少なくとも1つの基準リソースを備えるとともに時間的に前記第1のTTIの前に出現する、
請求項2に記載の方法。
【請求項８】
前記少なくとも1つの基準リソースを識別するステップが、前記第2のCSI報告構成に対して前記CSIを報告すべきと決定することに少なくとも部分的に基づいてマルチキャストブロードキャスト単一周波数ネットワーク(MBSFN)サブフレームを識別するステップを備え、前記MBSFNサブフレームが前記少なくとも1つの基準リソースを備える、請求項2に記載の方法。
【請求項９】
前記MBSFNサブフレームが、基準信号の第1のセットを有する制御領域および基準信号がないデータ領域を備え、前記方法が、
前記制御領域の中の基準信号の前記第1のセットに少なくとも部分的に基づいて前記第2のCSI報告構成に対する前記CSIを生成するステップをさらに備える、
請求項8に記載の方法。
【請求項１０】
時間的に前記MBSFNサブフレームの前にあるTTI中に基準信号の第2のセットを識別するステップをさらに備え、前記第2のCSI報告構成に対して生成される前記CSIが、基準信号の前記第2のセットに少なくとも部分的に基づいて生成される、
請求項9に記載の方法。
【請求項１１】
基準信号の前記第2のセットが、前記MBSFNサブフレームに対して所定の時間期間内に位置し、前記所定の時間期間が、前記第2の持続時間のTTIに少なくとも部分的に基づく、請求項10に記載の方法。
【請求項１２】
前記第1のCSI報告構成に対して第1の非ゼロ電力(NZP)基準信号リソースおよび第1の干渉測定(IM)リソースの第1のパターンを識別するステップであって、前記第1のパターンが、第1の周期性および第1のオフセットに関連する、ステップと、
前記第2のCSI報告構成に対して第2のNZP基準信号リソースおよび第2のIMリソースの第2のパターンを決定するステップであって、前記第2のパターンが、第2の周期性および第2のオフセットに関連する、ステップと
をさらに備える、請求項1に記載の方法。
【請求項１３】
前記第2の周期性が前記第1の周期性よりも大きい、請求項12に記載の方法。
【請求項１４】
前記第1のパターンおよび前記第2のパターンが完全に重複しており、前記第1の周期性が前記第2の周期性と同等であり、前記第2のオフセットが前記第1のオフセットと同等である、請求項12に記載の方法。
【請求項１５】
前記第1のパターンに少なくとも部分的に基づいてゼロ電力(ZP)基準信号リソースの第3のパターンを決定するステップと、
前記第2のパターンに少なくとも部分的に基づいてゼロ電力(ZP)基準信号リソースの第4のパターンを決定するステップと
をさらに備える、請求項12に記載の方法。
【請求項１６】
前記第2の持続時間のTTIが、前記第3のパターンのZP基準信号リソースを備え、前記第1のIMリソースが、前記第2のIMリソースと重複し、前記第3のパターンの前記ZP基準信号リソースが、前記第4のパターンの前記ZP基準信号リソースと重複する、請求項15に記載の方法。
【請求項１７】
前記第1のNZP基準信号リソースが前記第2のNZP基準信号リソースと重複する、請求項12に記載の方法。
【請求項１８】
前記第2のパターンのリソース要素密度が前記第1のパターンのリソース要素密度よりも小さい、請求項12に記載の方法。
【請求項１９】
前記第1のCSI報告構成に対して第1の非ゼロ電力(NZP)基準信号リソースおよび第1の干渉測定(IM)リソースの第1のパターンを識別するステップであって、前記第1のパターンが、第1の周期性および第1のオフセットに関連する、ステップと、
前記第1の持続時間のTTIの中で、前記第2のCSI報告構成に対する1つまたは複数のNZP基準信号リソースおよび1つまたは複数のIMリソースの存在の表示を受信するステップであって、前記第1の持続時間の前記TTIが、前記第1のパターンの前記第1のNZP基準信号リソースのサブセットおよび前記第1のIMリソースのサブセットを備える、ステップと
をさらに備える、請求項1に記載の方法。
【請求項２０】
前記第2の持続時間のTTIが、前記第1のNZP基準信号リソースの前記サブセットの前記1つまたは複数のNZP基準信号リソース、および前記第1のIMリソースの前記サブセットの前記1つまたは複数のIMリソースを備え、前記第2のCSI報告構成に対する前記1つまたは複数のNZP基準信号リソースが、前記第1のNZP基準信号リソースの前記サブセットの前記1つまたは複数のNZP基準信号リソースと重複し、前記第2のCSI報告構成に対する前記1つまたは複数のIMリソースが、前記第1のIMリソースの前記サブセットの前記1つまたは複数のIMリソースと重複する、請求項19に記載の方法。
【請求項２１】
第3の持続時間の第1のダウンリンクリソースを介して第1のダウンリンク送信を受信するステップと、
前記第3の持続時間のアップリンクリソースを識別するステップと、
前記第2のCSI報告構成に対して第1のサイズのCSIを生成するステップと、
前記第3の持続時間の第2のダウンリンクリソースを介して第2のダウンリンク送信を受信するステップと、
前記第3の持続時間よりも長い第4の持続時間のアップリンクリソースを識別するステップと、
前記第2のCSI報告構成に対して、前記第1のサイズよりも大きい第2のサイズのCSIを生成するステップと
をさらに備える、請求項1に記載の方法。
【請求項２２】
前記第1のCSI報告構成に関連する第1の複数のCSIプロセス、および前記第2のCSI報告構成に関連する第2の複数のCSIプロセスを識別するステップと、
前記CSI報告を求める要求を受信するステップと、
サポートされるCSIプロセスの最大数を識別するステップと、
サポートされるCSIプロセスの前記最大数に少なくとも部分的に基づいて、前記第1の複数のCSIプロセスの第1のサブセットもしくは前記第2の複数のCSIプロセスの第2のサブセット、またはその両方に対する測定値を更新するステップと
をさらに備える、請求項1に記載の方法。
【請求項２３】
前記測定値を更新するステップが、前記第1の複数のCSIプロセスのうちの最小のインデックスが付けられたCSIプロセスを更新するステップを備える、請求項22に記載の方法。
【請求項２４】
前記測定値を更新するステップが、前記第1の複数のCSIプロセスのうちの最小のインデックスが付けられたCSIプロセス、および前記第2の複数のCSIプロセスのうちの最小のインデックスが付けられたCSIプロセスを更新するステップを備える、請求項22に記載の方法。
【請求項２５】
前記第1のCSI報告構成に関連する第1の複数のCSIプロセス、および前記第2のCSI報告構成に関連する第2の複数のCSIプロセスを識別するステップと、
前記CSI報告を求める要求を受信するステップであって、前記要求が前記第2のCSI報告構成に関連する、ステップと、
前記第2のCSI報告構成に対してサポートされるCSIプロセスの最大数を識別するステップと、
前記第2のCSI報告構成に対してサポートされるCSIプロセスの前記最大数に少なくとも部分的に基づいて、前記第2の複数のCSIプロセスの第1のサブセットに対する測定値を更新するステップと
をさらに備える、請求項1に記載の方法。
【請求項２６】
前記第1のCSI報告構成に関連する第1の複数のCSIプロセス、および前記第2のCSI報告構成に関連する第2の複数のCSIプロセスを識別するステップと、
前記CSI報告を求める要求を受信するステップであって、前記要求が前記第1のCSI報告構成に関連する、ステップと、
前記第1のCSI報告構成に対してサポートされるCSIプロセスの最大数を識別するステップと、
前記第1のCSI報告構成に対してサポートされるCSIプロセスの前記最大数に少なくとも部分的に基づいて、前記第1の複数のCSIプロセスの第1のサブセットに対する測定値を更新するステップと
をさらに備える、請求項1に記載の方法。
【請求項２７】
第1のCSIプロセスを前記第1のCSI報告構成に、また第2のCSIプロセスを前記第2のCSI報告構成に関連付けるステップ
をさらに備える、請求項1に記載の方法。
【請求項２８】
前記第1のCSIプロセスに対する第1のCSI報告もしくは前記第2のCSIプロセスに対する第2のCSI報告、またはその両方を生成するステップをさらに備え、前記CSI報告が、前記第1のCSI報告もしくは前記第2のCSI報告、またはその両方を備える、
請求項27に記載の方法。
【請求項２９】
前記第1のCSIプロセスが、前記第2のCSIプロセスとは独立して動作させられる、請求項27に記載の方法。
【請求項３０】
前記第1のCSI報告構成に対する前記第1のCSIプロセスが、前記第2のCSI報告構成に対する前記第2のCSIプロセスとは独立してトリガされる、請求項29に記載の方法。
【請求項３１】
前記第1のCSI報告構成に対する前記第1のCSIプロセスが、第1の周期性および第1のオフセットに関連し、前記第2のCSI報告構成に対する前記第2のCSIプロセスが、第2の周期性および第2のオフセットに関連する、請求項29に記載の方法。
【請求項３２】
前記第1のCSIプロセスが、前記第2のCSIプロセスと共同して動作させられる、請求項27に記載の方法。
【請求項３３】
前記第1のCSI報告構成に対する第1のCSIおよび前記第2のCSI報告構成に対する第2のCSIを生成するステップであって、前記第1のCSIのサイズが前記第2のCSIのサイズよりも大きい、ステップと、
前記第1のCSIもしくは前記第2のCSI、またはその両方を備える前記CSI報告を生成するステップと
をさらに備える、請求項1に記載の方法。
【請求項３４】
前記第1のCSIを生成するステップが、第1のサイズの少なくとも1つのサブバンドに対する第1のチャネル品質インジケータ(CQI)を決定するステップを備え、前記第2のCSIを生成するステップが、前記第1のサイズよりも大きい第2のサイズの少なくとも1つのサブバンドに対する第2のCQIを決定するステップを備える、請求項33に記載の方法。
【請求項３５】
前記第1のCSIを生成するステップが、複数の報告モードのうちの1つに従って前記第1のCSIを決定するステップを備え、前記第2のCSIを生成するステップが、前記複数の報告モードのサブセットに従って前記第2のCSIを決定するステップを備える、請求項33に記載の方法。
【請求項３６】
前記CSI報告を伴う送信用のアップリンクデータを受信するステップをさらに備え、前記第2のCSIが、前記アップリンクデータに少なくとも部分的に基づいて生成される、
請求項33に記載の方法。
【請求項３７】
前記CSI報告およびデータが第1の区間に従って送信される、請求項36に記載の方法。
【請求項３８】
送信用のアップリンクデータがないことに少なくとも部分的に基づいて前記第2のCSI報告構成に対する第3のCSIを生成するステップをさらに備え、前記第3のCSIのサイズが前記第2のCSIのサイズと同じであるかまたはそれよりも大きい、
請求項37に記載の方法。
【請求項３９】
前記CSI報告が、前記第1の区間と同じ長さであるかまたはそれよりも長い第2の区間に従って送信される、請求項38に記載の方法。
【請求項４０】
第3の持続時間の複数のダウンリンクリソースを介して複数のダウンリンク送信を受信するステップであって、前記複数のダウンリンク送信が、第4の持続時間のアップリンク送信に関連する、ステップと、
前記複数のダウンリンク送信のうちの1つのダウンリンク送信の中で、前記CSI報告を求める要求を識別するステップと
をさらに備える、請求項1に記載の方法。
【請求項４１】
ワイヤレス通信のための装置であって
第1の持続時間の送信時間区間(TTI)に関連する第1のチャネル状態情報(CSI)報告構成を識別するための手段と、
前記第1の持続時間よりも短い第2の持続時間のTTIに関連する第2のCSI報告構成を識別するための手段と、
前記第1のCSI報告構成もしくは前記第2のCSI報告構成、またはその両方に対して、CSIを報告すべきかどうかを決定するための手段と、
前記決定に従ってCSI報告を送信するための手段と
を備える装置。
【請求項４２】
前記第2のCSI報告構成に対するCSIを決定するための、前記第2の持続時間のTTIの中の少なくとも1つの基準リソースを識別するための手段
をさらに備える、請求項41に記載の装置。
【請求項４３】
前記第1のCSI報告構成に対して第1の非ゼロ電力(NZP)基準信号リソースおよび第1の干渉測定(IM)リソースの第1のパターンを識別するための手段であって、前記第1のパターンが、第1の周期性および第1のオフセットに関連する、手段と、
前記第2のCSI報告構成に対して第2のNZP基準信号リソースおよび第2のIMリソースの第2のパターンを決定するための手段であって、前記第2のパターンが、第2の周期性および第2のオフセットに関連する、手段と
をさらに備える、請求項41に記載の装置。
【請求項４４】
前記第1のCSI報告構成に対して第1の非ゼロ電力(NZP)基準信号リソースおよび第1の干渉測定(IM)リソースの第1のパターンを識別するための手段であって、前記第1のパターンが、第1の周期性および第1のオフセットに関連する、手段と、
前記第1の持続時間のTTIの中で、前記第2のCSI報告構成に対する1つまたは複数のNZP基準信号リソースおよび1つまたは複数のIMリソースの存在の表示を受信するための手段であって、前記第1の持続時間の前記TTIが、前記第1のパターンの前記第1のNZP基準信号リソースのサブセットおよび前記第1のIMリソースのサブセットを備える、手段と
をさらに備える、請求項41に記載の装置。
【請求項４５】
第3の持続時間の第1のダウンリンクリソースを介して第1のダウンリンク送信を受信するための手段と、
前記第3の持続時間のアップリンクリソースを識別するための手段と、
前記第2のCSI報告構成に対して第1のサイズのCSIを生成するための手段と、
前記第3の持続時間の第2のダウンリンクリソースを介して第2のダウンリンク送信を受信するための手段と、
前記第3の持続時間よりも長い第4の持続時間のアップリンクリソースを識別するための手段と、
前記第2のCSI報告構成に対して、前記第1のサイズよりも大きい第2のサイズのCSIを生成するための手段と
をさらに備える、請求項41に記載の装置。
【請求項４６】
第1のCSIプロセスを前記第1のCSI報告構成に、また第2のCSIプロセスを前記第2のCSI報告構成に関連付けるための手段
をさらに備える、請求項41に記載の装置。
【請求項４７】
前記第1のCSI報告構成に対する第1のCSIおよび前記第2のCSI報告構成に対する第2のCSIを生成するための手段であって、前記第1のCSIのサイズが前記第2のCSIのサイズよりも大きい、手段と、
前記第1のCSIもしくは前記第2のCSI、またはその両方を備える前記CSI報告を生成するための手段と
をさらに備える、請求項41に記載の装置。
【請求項４８】
第3の持続時間の複数のダウンリンクリソースを介して複数のダウンリンク送信を受信するための手段であって、前記複数のダウンリンク送信が、第4の持続時間のアップリンク送信に関連する、手段と、
前記複数のダウンリンク送信のうちの1つのダウンリンク送信の中で、前記CSI報告を求める要求を識別するための手段と
をさらに備える、請求項41に記載の装置。
【請求項４９】
ワイヤレス通信のための装置であって、
プロセッサと、
前記プロセッサと電子通信しているメモリと、
前記メモリの中に記憶された命令とを備え、前記命令が、プロセッサによって実行されたとき、前記装置に、
第1の持続時間の送信時間区間(TTI)に関連する第1のチャネル状態情報(CSI)報告構成を識別させ、
前記第1の持続時間よりも短い第2の持続時間のTTIに関連する第2のCSI報告構成を識別させ、
前記第1のCSI報告構成もしくは前記第2のCSI報告構成、またはその両方に対して、CSIを報告すべきかどうかを決定させ、
前記決定に従ってCSI報告を送信させるように動作可能である、
装置。
【請求項５０】
前記命令が、
前記第2のCSI報告構成に対するCSIを決定するための、前記第2の持続時間のTTIの中の少なくとも1つの基準リソースを識別するように、前記プロセッサによってさらに実行可能である、
請求項49に記載の装置。
【請求項５１】
前記命令が、
前記第1のCSI報告構成に対して第1の非ゼロ電力(NZP)基準信号リソースおよび第1の干渉測定(IM)リソースの第1のパターンを識別することであって、前記第1のパターンが、第1の周期性および第1のオフセットに関連することと、
前記第2のCSI報告構成に対して第2のNZP基準信号リソースおよび第2のIMリソースの第2のパターンを決定することであって、前記第2のパターンが、第2の周期性および第2のオフセットに関連することとを行うように、前記プロセッサによってさらに実行可能である、
請求項49に記載の装置。
【請求項５２】
前記命令が、
前記第1のCSI報告構成に対して第1の非ゼロ電力(NZP)基準信号リソースおよび第1の干渉測定(IM)リソースの第1のパターンを識別することであって、前記第1のパターンが、第1の周期性および第1のオフセットに関連することと、
前記第1の持続時間のTTIの中で、前記第2のCSI報告構成に対する1つまたは複数のNZP基準信号リソースおよび1つまたは複数のIMリソースの存在の表示を受信することであって、前記第1の持続時間の前記TTIが、前記第1のパターンの前記第1のNZP基準信号リソースのサブセットおよび前記第1のIMリソースのサブセットを備えることとを行うように、前記プロセッサによってさらに実行可能である、
請求項49に記載の装置。
【請求項５３】
前記命令が、
第3の持続時間の第1のダウンリンクリソースを介して第1のダウンリンク送信を受信し、
前記第3の持続時間のアップリンクリソースを識別し、
前記第2のCSI報告構成に対して第1のサイズのCSIを生成し、
前記第3の持続時間の第2のダウンリンクリソースを介して第2のダウンリンク送信を受信し、
前記第3の持続時間よりも長い第4の持続時間のアップリンクリソースを識別し、
前記第2のCSI報告構成に対して、前記第1のサイズよりも大きい第2のサイズのCSIを生成するように、前記プロセッサによってさらに実行可能である、
請求項49に記載の装置。
【請求項５４】
前記命令が、
第1のCSIプロセスを前記第1のCSI報告構成に、また第2のCSIプロセスを前記第2のCSI報告構成に関連付けるように、前記プロセッサによってさらに実行可能である、
請求項49に記載の装置。
【請求項５５】
前記命令が、
前記第1のCSI報告構成に対する第1のCSIおよび前記第2のCSI報告構成に対する第2のCSIを生成することであって、前記第1のCSIのサイズが前記第2のCSIのサイズよりも大きいことと、
前記第1のCSIもしくは前記第2のCSI、またはその両方を備える前記CSI報告を生成することとを行うように、前記プロセッサによってさらに実行可能である、
請求項49に記載の装置。
【請求項５６】
前記命令が、
第3の持続時間の複数のダウンリンクリソースを介して複数のダウンリンク送信を受信することであって、前記複数のダウンリンク送信が、第4の持続時間のアップリンク送信に関連することと、
前記複数のダウンリンク送信のうちの1つのダウンリンク送信の中で、前記CSI報告を求める要求を識別することとを行うように、前記プロセッサによってさらに実行可能である、
請求項49に記載の装置。
【請求項５７】
ワイヤレス通信のためのコードを記憶する非一時的コンピュータ可読媒体であって、前記コードが命令を備え、前記命令が、
第1の持続時間の送信時間区間(TTI)に関連する第1のチャネル状態情報(CSI)報告構成を識別し、
前記第1の持続時間よりも短い第2の持続時間のTTIに関連する第2のCSI報告構成を識別し、
前記第1のCSI報告構成もしくは前記第2のCSI報告構成、またはその両方に対して、CSIを報告すべきかどうかを決定し、
前記決定に従ってCSI報告を送信するように、プロセッサによって実行可能である、
非一時的コンピュータ可読媒体。
【請求項５８】
前記命令が、
前記第2のCSI報告構成に対するCSIを決定するための、前記第2の持続時間のTTIの中の少なくとも1つの基準リソースを識別するように、前記プロセッサによってさらに実行可能である、
請求項57に記載の非一時的コンピュータ可読媒体。
【請求項５９】
前記命令が、
前記第1のCSI報告構成に対して第1の非ゼロ電力(NZP)基準信号リソースおよび第1の干渉測定(IM)リソースの第1のパターンを識別することであって、前記第1のパターンが、第1の周期性および第1のオフセットに関連することと、
前記第2のCSI報告構成に対して第2のNZP基準信号リソースおよび第2のIMリソースの第2のパターンを決定することであって、前記第2のパターンが、第2の周期性および第2のオフセットに関連することとを行うように、前記プロセッサによってさらに実行可能である、
請求項57に記載の非一時的コンピュータ可読媒体。
【請求項６０】
前記命令が、
前記第1のCSI報告構成に対して第1の非ゼロ電力(NZP)基準信号リソースおよび第1の干渉測定(IM)リソースの第1のパターンを識別することであって、前記第1のパターンが、第1の周期性および第1のオフセットに関連することと、
前記第1の持続時間のTTIの中で、前記第2のCSI報告構成に対する1つまたは複数のNZP基準信号リソースおよび1つまたは複数のIMリソースの存在の表示を受信することであって、前記第1の持続時間の前記TTIが、前記第1のパターンの前記第1のNZP基準信号リソースのサブセットおよび前記第1のIMリソースのサブセットを備えることとを行うように、前記プロセッサによってさらに実行可能である、
請求項57に記載の非一時的コンピュータ可読媒体。
【請求項６１】
前記命令が、
第3の持続時間の第1のダウンリンクリソースを介して第1のダウンリンク送信を受信し、
前記第3の持続時間のアップリンクリソースを識別し、
前記第2のCSI報告構成に対して第1のサイズのCSIを生成し、
前記第3の持続時間の第2のダウンリンクリソースを介して第2のダウンリンク送信を受信し、
前記第3の持続時間よりも長い第4の持続時間のアップリンクリソースを識別し、
前記第2のCSI報告構成に対して、前記第1のサイズよりも大きい第2のサイズのCSIを生成するように、前記プロセッサによってさらに実行可能である、
請求項57に記載の非一時的コンピュータ可読媒体。
【請求項６２】
前記命令が、
第1のCSIプロセスを前記第1のCSI報告構成に、また第2のCSIプロセスを前記第2のCSI報告構成に関連付けるように、前記プロセッサによってさらに実行可能である、
請求項57に記載の非一時的コンピュータ可読媒体。
【請求項６３】
前記命令が、
前記第1のCSI報告構成に対する第1のCSIおよび前記第2のCSI報告構成に対する第2のCSIを生成することであって、前記第1のCSIのサイズが前記第2のCSIのサイズよりも大きいことと、
前記第1のCSIもしくは前記第2のCSI、またはその両方を備える前記CSI報告を生成することとを行うように、前記プロセッサによってさらに実行可能である、
請求項57に記載の非一時的コンピュータ可読媒体。
【請求項６４】
前記命令が、
第3の持続時間の複数のダウンリンクリソースを介して複数のダウンリンク送信を受信することであって、前記複数のダウンリンク送信が、第4の持続時間のアップリンク送信に関連することと、
前記複数のダウンリンク送信のうちの1つのダウンリンク送信の中で、前記CSI報告を求める要求を識別することとを行うように、前記プロセッサによってさらに実行可能である、
請求項57に記載の非一時的コンピュータ可読媒体。
【発明の詳細な説明】
【技術分野】
【０００１】
相互参照
本特許出願は、2018年8月7日に出願された「Channel State Information Reporting for Short Transmission Time Intervals」と題するHosseiniらによる米国特許出願第16/057,593号、および2017年8月11日に出願された「Channel State Information Reporting for Short Transmission Time Intervals」と題するHosseiniらによる米国仮特許出願第62/544,556号の優先権を主張し、その各々は本出願の譲受人に譲渡される。
【０００２】
以下は、一般に、ワイヤレス通信に関し、より詳細には、ショート送信時間区間(TTI：transmission time interval)用のチャネル状態情報(CSI：channel state information)報告に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、ロングタームエボリューション(LTE)システムまたはLTEアドバンスト(LTE-A)システムなどの第4世代(4G)システム、およびニューラジオ(NR)システムと呼ばれることがある第5世代(5G)システムを含む。これらのシステムは、符号分割多元接続(CDMA)、時分割多元接続(TDMA)、周波数分割多元接続(FDMA)、直交周波数分割多元接続(OFDMA)、または離散フーリエ変換拡散直交周波数分割多重化(DFT-S-OFDM)などの技術を採用し得る。ワイヤレス多元接続通信システムは、場合によってはユーザ機器(UE：user equipment)と呼ばれることがある複数の通信デバイスのための通信を各々が同時にサポートする、いくつかの基地局またはネットワークアクセスノードを含んでよい。
【０００４】
TDMAシステムおよびOFDMAシステムなどの多元接続システムでは、ワイヤレス通信リソースは、時間領域において時間区間(たとえば、シンボル期間、スロット、サブフレームなど)に、また周波数領域において周波数帯域(たとえば、サブキャリア、キャリア、サブバンド、バンドなど)に、区分され得る。区分された通信リソースは、リソースマップと呼ばれることがある。場合によっては、時間区間および周波数帯域は、リソースマップ内で特定の通信リソースを識別するために使用され得る数値の識別子(たとえば、サブフレーム番号、システムフレーム番号、キャリア番号など)に関連付けられる。たとえば、基地局は、1つまたは複数の特定のUE用の特定の通信リソースをスケジュールするときに数値の識別子を使用し得る。場合によっては、ワイヤレス通信システムにおいて通信リソースをスケジュールするときに、TTIと呼ばれることがある最小スケジューリング区間が使用される。たとえば、サブフレームは最小スケジューリング区間の一例であってよく、基地局は、1つまたは複数のサブフレームにわたる通信リソースを介して情報を受信または送信するようにUEをスケジュールし得る。
【０００５】
いくつかの例では、UEの第1のセットがある長さのTTIを使用して基地局と通信してよく、UEの第2のセットが異なる長さのTTIを使用して基地局と通信してよい。たとえば、基地局は、ショートTTI(たとえば、2または3シンボル期間にわたるTTI)を使用してUEの第1のセットに低レイテンシ情報を通信してよく、ロングTTI(たとえば、14シンボル期間にわたるTTI)を使用してUEの第2のセットに非低レイテンシ情報を通信してよい。
【０００６】
場合によっては、通信リンクの信頼性を高めるためにCSI報告が使用され得る。たとえば、UEは、UEによって観測されたチャネル条件に基づいてCSI報告を生成してよく、CSI報告を基地局へ送信してよい。場合によっては、基地局は、CSI報告の中で受信された情報に基づいて、UEへの後続の送信用の送信パラメータを修正してよい。場合によっては、UEは、ロングTTIを使用する通信に対するCSI報告を生成し、基地局は、CSI報告に基づいてUEへの後続の送信用の送信パラメータを修正する。場合によっては、基地局はまた、CSI報告に基づいて、ショートTTIを使用するUEへの後続の送信用の修正された送信パラメータを使用する。
【０００７】
しかしながら、修正された送信パラメータは、ショートTTIを使用する通信にとって準最適である場合がある。たとえば、CSI報告は、UEが遭遇するチャネル条件の急速な変化(たとえば、2または3シンボル期間のサブフレームの中に存在するバースト的な干渉)を考慮に入れないことがあり、決定される送信パラメータはこれらの変化を補償しないことがある。
【発明の概要】
【課題を解決するための手段】
【０００８】
低レイテンシ送信時間区間(TTI)を使用する通信に対するCSIを生成するために、拡張されたチャネル状態情報(CSI)報告技法が使用され得る。一例では、第1の持続時間のTTIを使用する通信のために第1のCSI報告構成が使用されてよく、第2の持続時間のTTIを使用する通信のために第2のCSI報告構成が使用されてよい。第1および/または第2の構成に基づく、CSIを報告すべきかどうかの決定が行われてよく、決定に基づいてCSI報告が送信されてよい。場合によっては、第1のCSI報告構成に対するCSIは、第2のCSI報告構成に対するCSIとは異なって決定される。たとえば、CSI報告構成は、それぞれのCSIを計算するとき、異なる基準リソースおよび/または基準信号リソースを使用してよい。場合によっては、第1および第2のCSI報告構成は、独立してまたは共同してのいずれかで動作させられてよい第1のCSIプロセスおよび第2のCSIプロセスとして構成され得る。
【０００９】
ワイヤレス通信の方法が説明される。方法は、第1の持続時間のTTIに関連する第1のCSI報告構成を識別することと、第1の持続時間よりも短い第2の持続時間のTTIに関連する第2のCSI報告構成を識別することと、第1のCSI報告構成もしくは第2のCSI報告構成、またはその両方に対して、CSIを報告すべきかどうかを決定することと、決定に従ってCSI報告を送信することとを含んでよい。
【００１０】
ワイヤレス通信のための装置が説明される。装置は、第1の持続時間のTTIに関連する第1のCSI報告構成を識別するための手段と、第1の持続時間よりも短い第2の持続時間のTTIに関連する第2のCSI報告構成を識別するための手段と、第1のCSI報告構成もしくは第2のCSI報告構成、またはその両方に対して、CSIを報告すべきかどうかを決定するための手段と、決定に従ってCSI報告を送信するための手段とを含んでよい。
【００１１】
ワイヤレス通信のための別の装置が説明される。装置は、プロセッサと、プロセッサと電子通信しているメモリと、メモリの中に記憶された命令とを含んでよい。命令は、プロセッサに、第1の持続時間のTTIに関連する第1のCSI報告構成を識別させ、第1の持続時間よりも短い第2の持続時間のTTIに関連する第2のCSI報告構成を識別させ、第1のCSI報告構成もしくは第2のCSI報告構成、またはその両方に対して、CSIを報告すべきかどうかを決定させ、決定に従ってCSI報告を送信させるように、動作可能であってよい。
【００１２】
ワイヤレス通信のための非一時的コンピュータ可読媒体が説明される。非一時的コンピュータ可読媒体は、プロセッサに、第1の持続時間のTTIに関連する第1のCSI報告構成を識別させ、第1の持続時間よりも短い第2の持続時間のTTIに関連する第2のCSI報告構成を識別させ、第1のCSI報告構成もしくは第2のCSI報告構成、またはその両方に対して、CSIを報告すべきかどうかを決定させ、決定に従ってCSI報告を送信させるように、動作可能な命令を含んでよい。
【００１３】
上記で説明した方法、装置、および非一時的コンピュータ可読媒体のいくつかの例は、CSIを決定するための少なくとも1つの基準リソースを、第1の持続時間のTTIまたは第2の持続時間のTTIのいずれかから識別するための、プロセス、特徴、手段、または命令をさらに含んでよい。
【００１４】
上記で説明した方法、装置、および非一時的コンピュータ可読媒体のいくつかの例では、少なくとも1つの基準リソースを識別することは、第2のCSI報告構成に対してCSIを報告すべきと決定することに少なくとも部分的に基づいて第1の持続時間のTTIを識別することを備え、TTIは少なくとも1つの基準リソースを備える。
【００１５】
上記で説明した方法、装置、および非一時的コンピュータ可読媒体のいくつかの例は、第2の持続時間に少なくとも部分的に基づいて第2のCSI報告構成に対するCSIを生成するための、プロセス、特徴、手段、または命令をさらに含んでよく、CSI報告は、第2のCSI報告構成に従って生成されたCSIを備える。
【００１６】
上記で説明した方法、装置、および非一時的コンピュータ可読媒体のいくつかの例は、第1の周期性、第2の周期性、第1のオフセット、および第2のオフセットを備える構成情報を受信するための、プロセス、特徴、手段、または命令をさらに含んでよく、少なくとも1つの基準リソースを識別することは、第1の周期性および第1のオフセットに基づいて、第1の持続時間のTTIの第1セットを第1のCSI報告構成に対して識別することを備える。上記で説明した方法、装置、および非一時的コンピュータ可読媒体のいくつかの例は、第2の周期性および第2のオフセットに基づいて、第1の持続時間のTTIの第2のセットを第2のCSI報告構成に対して識別するための、プロセス、特徴、手段、または命令をさらに含んでよい。
【００１７】
上記で説明した方法、装置、および非一時的コンピュータ可読媒体のいくつかの例は、第1の持続時間の第1のTTI中に、CSI報告を求める要求を受信するための、プロセス、特徴、手段、または命令をさらに含んでよく、要求は、報告リソースをスケジュールし、少なくとも1つの基準リソースを識別することは、第2のCSI報告構成に対してCSIを報告すべきと決定することに少なくとも部分的に基づいて第1の持続時間の第2のTTIを識別することを備え、第2のTTIは、報告リソースに対して識別されてよい。
【００１８】
上記で説明した方法、装置、および非一時的コンピュータ可読媒体のいくつかの例では、要求は、第1のTTI中に出現する、第2の持続時間の第3のTTIの中で受信されてよい。
【００１９】
上記で説明した方法、装置、および非一時的コンピュータ可読媒体のいくつかの例は、第1の持続時間の第1のTTI中に、CSI報告を求める要求を受信するための、プロセス、特徴、手段、または命令をさらに含んでよく、少なくとも1つの基準リソースを識別することは、第2のCSI報告構成に対してCSIを報告すべきと決定することに少なくとも部分的に基づいて第2の持続時間の第2のTTIを識別することを備え、第2のTTIは、少なくとも1つの基準リソースを備えるとともに第1のTTI中に出現する。
【００２０】
上記で説明した方法、装置、および非一時的コンピュータ可読媒体のいくつかの例は、第1の持続時間の第1のTTI中に、CSI報告を求める要求を受信するための、プロセス、特徴、手段、または命令をさらに含んでよく、少なくとも1つの基準リソースを識別することは、第2のCSI報告構成に対してCSIを報告すべきと決定することに少なくとも部分的に基づいて第2の持続時間の第2のTTIを識別することを備え、第2のTTIは、少なくとも1つの基準リソースを備えるとともに時間的に第1のTTIの前に出現する。
【００２１】
上記で説明した方法、装置、および非一時的コンピュータ可読媒体のいくつかの例では、少なくとも1つの基準リソースを識別することは、第2のCSI報告構成に対してCSIを報告すべきと決定することに少なくとも部分的に基づいてマルチキャストブロードキャスト単一周波数ネットワーク(MBSFN：multicast-broadcast single frequency network)サブフレームを識別することを備え、MBSFNサブフレームは少なくとも1つの基準リソースを備える。
【００２２】
上記で説明した方法、装置、および非一時的コンピュータ可読媒体のいくつかの例は、制御領域の中の基準信号の第1のセットに少なくとも部分的に基づいて第2のCSI報告構成に対するCSIを生成するための、プロセス、特徴、手段、または命令をさらに含んでよく、MBSFNサブフレームは、基準信号の第1のセットを有する制御領域および基準信号がないデータ領域を備える。
【００２３】
上記で説明した方法、装置、および非一時的コンピュータ可読媒体のいくつかの例は、時間的にMBSFNサブフレームの前にあってよいTTI中に基準信号の第2のセットを識別するための、プロセス、特徴、手段、または命令をさらに含んでよく、第2のCSI報告構成に対して生成されるCSIは、基準信号の第2のセットに少なくとも部分的に基づいて生成されてよい。
【００２４】
上記で説明した方法、装置、および非一時的コンピュータ可読媒体のいくつかの例では、基準信号の第2のセットは、MBSFNサブフレームに対して所定の時間期間内に位置してよく、所定の時間期間は、第2の持続時間のTTIに少なくとも部分的に基づく。
【００２５】
上記で説明した方法、装置、および非一時的コンピュータ可読媒体のいくつかの例は、第1のCSIプロセスを第1のCSI報告構成に、また第2のCSIプロセスを第2のCSI報告構成に関連付けるための、プロセス、特徴、手段、または命令をさらに含んでよい。
【００２６】
上記で説明した方法、装置、および非一時的コンピュータ可読媒体のいくつかの例は、第1のCSIプロセスに対する第1のCSI報告もしくは第2のCSIプロセスに対する第2のCSI報告、またはその両方を生成するための、プロセス、特徴、手段、または命令をさらに含んでよく、CSI報告は、第1のCSI報告もしくは第2のCSI報告、またはその両方を備える。
【００２７】
上記で説明した方法、装置、および非一時的コンピュータ可読媒体のいくつかの例では、第1のCSIプロセスは、第2のCSIプロセスとは独立して動作させられてよい。
【００２８】
上記で説明した方法、装置、および非一時的コンピュータ可読媒体のいくつかの例では、第1のCSI報告構成に対する第1のCSIプロセスは、第2のCSI報告構成に対する第2のCSIプロセスとは独立してトリガされてよい。
【００２９】
上記で説明した方法、装置、および非一時的コンピュータ可読媒体のいくつかの例では、第1のCSI報告構成に対する第1のCSIプロセスは、第1の周期性および第1のオフセットに関連してよく、第2のCSI報告構成に対する第2のCSIプロセスは、第2の周期性および第2のオフセットに関連してよい。
【００３０】
上記で説明した方法、装置、および非一時的コンピュータ可読媒体のいくつかの例では、第1のCSIプロセスは、第2のCSIプロセスと共同して動作させられてよい。
【００３１】
上記で説明した方法、装置、および非一時的コンピュータ可読媒体のいくつかの例は、第1のCSI報告構成に対して第1の非ゼロ電力(NZP：non-zero power)基準信号リソースおよび第1の干渉測定(IM：interference measurement)リソースの第1のパターンを識別するための、プロセス、特徴、手段、または命令をさらに含んでよく、第1のパターンは、第1の周期性および第1のオフセットに関連してよい。上記で説明した方法、装置、および非一時的コンピュータ可読媒体のいくつかの例は、第2のCSI報告構成に対して第2のNZP基準信号リソースおよび第2のIMリソースの第2のパターンを決定するための、プロセス、特徴、手段、または命令をさらに含んでよく、第2のパターンは、第2の周期性および第2のオフセットに関連してよい。
【００３２】
上記で説明した方法、装置、および非一時的コンピュータ可読媒体のいくつかの例は、第1のパターンに少なくとも部分的に基づいてゼロ電力(ZP：zero power)基準信号リソースの第3のパターンを決定するための、プロセス、特徴、手段、または命令をさらに含んでよい。上記で説明した方法、装置、および非一時的コンピュータ可読媒体のいくつかの例は、第2のパターンに少なくとも部分的に基づいてZP基準信号リソースの第4のパターンを決定するための、プロセス、特徴、手段、または命令をさらに含んでよい。
【００３３】
上記で説明した方法、装置、および非一時的コンピュータ可読媒体のいくつかの例では、第2の持続時間のTTIは、第3のパターンのZP基準信号リソースを備え、第1のIMリソースは、第2のIMリソースと重複し、第3のパターンのZP基準信号リソースは、第4のパターンのZP基準信号リソースと重複する。
【００３４】
上記で説明した方法、装置、および非一時的コンピュータ可読媒体のいくつかの例では、第1のNZP基準信号リソースは第2のNZP基準信号リソースと重複する。
【００３５】
上記で説明した方法、装置、および非一時的コンピュータ可読媒体のいくつかの例では、第2の周期性は第1の周期性よりも大きくてよい。
【００３６】
上記で説明した方法、装置、および非一時的コンピュータ可読媒体のいくつかの例では、第2のパターンのリソース要素密度は第1のパターンのリソース要素密度よりも小さくてよい。
【００３７】
上記で説明した方法、装置、および非一時的コンピュータ可読媒体のいくつかの例は、第1のCSI報告構成に対して第1のNZP基準信号リソースおよび第1のIMリソースの第1のパターンを識別するための、プロセス、特徴、手段、または命令をさらに含んでよく、第1のパターンは、第1の周期性および第1のオフセットに関連してよい。上記で説明した方法、装置、および非一時的コンピュータ可読媒体のいくつかの例は、第1の持続時間のTTIの中で、第2のCSI報告構成に対する1つまたは複数のNZP基準信号リソースおよび1つまたは複数のIMリソースの存在の表示を受信するための、プロセス、特徴、手段、または命令をさらに含んでよく、第1の持続時間のTTIは、第1のパターンの第1のNZP基準信号リソースのサブセットおよび第1のIMリソースのサブセットを備える。
【００３８】
上記で説明した方法、装置、および非一時的コンピュータ可読媒体のいくつかの例では、第2の持続時間のTTIは、第1のNZP基準信号リソースのサブセットの1つまたは複数のNZP基準信号リソース、および第1のIMリソースのサブセットの1つまたは複数のIMリソースを備え、第2の報告構成に対する1つまたは複数のNZP基準信号リソースは、第1のNZP基準信号リソースのサブセットの1つまたは複数のNZP基準信号リソースと重複し、第2のCSI報告構成に対する1つまたは複数のIMリソースは、第1のIMリソースのサブセットの1つまたは複数のIMリソースと重複する。
【００３９】
上記で説明した方法、装置、および非一時的コンピュータ可読媒体のいくつかの例は、第1のCSI報告構成に対する第1のCSIおよび第2のCSI報告構成に対する第2のCSIを生成するための、プロセス、特徴、手段、または命令をさらに含んでよく、第1のCSIのサイズは第2のCSIのサイズよりも大きくてよい。上記で説明した方法、装置、および非一時的コンピュータ可読媒体のいくつかの例は、第1のCSIもしくは第2のCSI、またはその両方を備えるCSI報告を生成するための、プロセス、特徴、手段、または命令をさらに含んでよい。
【００４０】
上記で説明した方法、装置、および非一時的コンピュータ可読媒体のいくつかの例では、第1のCSIを生成することは、第1のサイズの少なくとも1つのサブバンドに対する第1のチャネル品質情報(CQI：channel quality information)を決定することを備え、第2のCSIを生成することは、第1のサイズよりも大きくてよい第2のサイズの少なくとも1つのサブバンドに対する第2のCQIを決定することを備える。
【００４１】
上記で説明した方法、装置、および非一時的コンピュータ可読媒体のいくつかの例では、第1のCSIを生成することは、複数の報告モードのうちの1つに従って第1のCSIを決定することを備え、第2のCSIを生成することは、複数の報告モードのサブセットに従って第2のCSIを決定することを備える。
【００４２】
上記で説明した方法、装置、および非一時的コンピュータ可読媒体のいくつかの例は、CSI報告を伴う送信用のアップリンクデータを受信するための、プロセス、特徴、手段、または命令をさらに含んでよく、第2のCSI報告構成に対する第2のサイズの第2のCSIが、アップリンクデータに少なくとも部分的に基づいて生成されてよい。
【００４３】
上記で説明した方法、装置、および非一時的コンピュータ可読媒体のいくつかの例では、CSI報告およびデータは、第1の区間に従って送信されてよい。
【００４４】
上記で説明した方法、装置、および非一時的コンピュータ可読媒体のいくつかの例は、送信用のアップリンクデータがないことに少なくとも部分的に基づいて第2のCSI報告構成に対する第3のCSIを生成するための、プロセス、特徴、手段、または命令をさらに含んでよく、第3のCSIのサイズは第2のCSIのサイズと同じであるかまたはそれよりも大きくてよい。
【００４５】
上記で説明した方法、装置、および非一時的コンピュータ可読媒体のいくつかの例では、CSI報告は、第1の区間と同じ長さであるかまたはそれよりも長くてよい第2の区間に従って送信されてよい。
【００４６】
上記で説明した方法、装置、および非一時的コンピュータ可読媒体のいくつかの例は、第3の持続時間の第1のダウンリンクリソースを介して第1のダウンリンク送信を受信するための、プロセス、特徴、手段、または命令をさらに含んでよい。上記で説明した方法、装置、および非一時的コンピュータ可読媒体のいくつかの例は、第3の持続時間のアップリンクリソースを識別するための、プロセス、特徴、手段、または命令をさらに含んでよい。上記で説明した方法、装置、および非一時的コンピュータ可読媒体のいくつかの例は、第2のCSI報告構成に対して第1のサイズのCSIを生成するための、プロセス、特徴、手段、または命令をさらに含んでよい。上記で説明した方法、装置、および非一時的コンピュータ可読媒体のいくつかの例は、第3の持続時間の第2のダウンリンクリソースを介して第2のダウンリンク送信を受信するための、プロセス、特徴、手段、または命令をさらに含んでよい。上記で説明した方法、装置、および非一時的コンピュータ可読媒体のいくつかの例は、第3の持続時間よりも長くてよい第4の持続時間のアップリンクリソースを識別するための、プロセス、特徴、手段、または命令をさらに含んでよい。上記で説明した方法、装置、および非一時的コンピュータ可読媒体のいくつかの例は、第2のCSI報告構成に対して、第1のサイズよりも大きい第2のサイズのCSIを生成するための、プロセス、特徴、手段、または命令をさらに含んでよい。
【００４７】
上記で説明した方法、装置、および非一時的コンピュータ可読媒体のいくつかの例は、第3の持続時間の複数のダウンリンクリソースを介して複数のダウンリンク送信を受信するための、プロセス、特徴、手段、または命令をさらに含んでよく、複数のダウンリンク送信は、第4の持続時間のアップリンク送信に関連してよい。上記で説明した方法、装置、および非一時的コンピュータ可読媒体のいくつかの例は、複数のダウンリンク送信のうちの1つのダウンリンク送信の中で、CSI報告を求める要求を識別するための、プロセス、特徴、手段、または命令をさらに含んでよい。
【００４８】
ワイヤレス通信の方法が説明される。方法は、第1の持続時間のTTIに関連する第1のCSI報告構成を識別することと、第1の持続時間よりも短い第2の持続時間のTTIに関連する第2のCSI報告構成を識別することと、第1のCSI報告構成もしくは第2のCSI報告構成、またはその両方に対して、CSIを報告するようにワイヤレスデバイスを構成することと、決定に従ってCSI報告を受信することとを含んでよい。
【００４９】
ワイヤレス通信のための装置が説明される。装置は、第1の持続時間のTTIに関連する第1のCSI報告構成を識別するための手段と、第1の持続時間よりも短い第2の持続時間のTTIに関連する第2のCSI報告構成を識別するための手段と、第1のCSI報告構成もしくは第2のCSI報告構成、またはその両方に対して、CSIを報告するようにワイヤレスデバイスを構成するための手段と、決定に従ってCSI報告を受信するための手段とを含んでよい。
【００５０】
ワイヤレス通信のための別の装置が説明される。装置は、プロセッサと、プロセッサと電子通信しているメモリと、メモリの中に記憶された命令とを含んでよい。命令は、プロセッサに、第1の持続時間のTTIに関連する第1のCSI報告構成を識別させ、第1の持続時間よりも短い第2の持続時間のTTIに関連する第2のCSI報告構成を識別させ、第1のCSI報告構成もしくは第2のCSI報告構成、またはその両方に対して、CSIを報告するようにワイヤレスデバイスを構成させ、決定に従ってCSI報告を受信させるように、動作可能であってよい。
【００５１】
ワイヤレス通信のための非一時的コンピュータ可読媒体が説明される。非一時的コンピュータ可読媒体は、プロセッサに、第1の持続時間のTTIに関連する第1のCSI報告構成を識別させ、第1の持続時間よりも短い第2の持続時間のTTIに関連する第2のCSI報告構成を識別させ、第1のCSI報告構成もしくは第2のCSI報告構成、またはその両方に対して、CSIを報告するようにワイヤレスデバイスを構成させ、決定に従ってCSI報告を受信させるように、動作可能な命令を含んでよい。
【図面の簡単な説明】
【００５２】
【図１】本開示の様々な態様による、ショート送信時間区間(TTI)用のチャネル状態情報(CSI)報告をサポートするワイヤレス通信システムの一例を示す図である。
【図２】本開示の様々な態様による、ショートTTI用のCSI報告をサポートするワイヤレス通信サブシステムの一例を示す図である。
【図３Ａ】本開示の様々な態様による、ショートTTI用のCSI報告を示す図である。
【図３Ｂ】本開示の様々な態様による、ショートTTI用のCSI報告を示す図である。
【図４】本開示の様々な態様による、ショートTTI用のCSIを報告することをサポートする基準信号構成の一例を示す図である。
【図５】本開示の様々な態様による、ショートTTI用のCSI報告に対するプロセスフローの一例を示す図である。
【図６】本開示の態様による、ショートTTI用のCSI報告をサポートするデバイスのブロック図である。
【図７】本開示の態様による、ショートTTI用のCSI報告をサポートするデバイスのブロック図である。
【図８】本開示の態様による、ショートTTI用のCSI報告をサポートするユーザ機器(UE)を含むシステムのブロック図である。
【図９】本開示の態様による、ショートTTI用のCSI報告をサポートするワイヤレスデバイスのブロック図である。
【図１０】本開示の態様による、ショートTTI用のCSI報告をサポートするワイヤレスデバイスのブロック図である。
【図１１】本開示の態様による、ショートTTI用のCSI報告をサポートする基地局を含むシステムのブロック図である。
【図１２】本開示の態様による、ショートTTI用のCSI報告のための方法を示す図である。
【図１３】本開示の態様による、ショートTTI用のCSI報告のための方法を示す図である。
【図１４】本開示の態様による、ショートTTI用のCSI報告のための方法を示す図である。
【図１５】本開示の態様による、ショートTTI用のCSI報告のための方法を示す図である。
【図１６】本開示の態様による、ショートTTI用のCSI報告のための方法を示す図である。
【図１７】本開示の態様による、ショートTTI用のCSI報告のための方法を示す図である。
【発明を実施するための形態】
【００５３】
基地局およびユーザ機器(UE)は、最小スケジューリング区間として第1の持続時間(たとえば、1ms)の送信時間区間(TTI)(すなわち、「非低レイテンシTTI」または「ロングTTI」)を使用して互いに通信し得る。したがって、基地局およびUEは、最小スケジューリング区間に基づいてチャネル状態情報(CSI)報告などの通信プロセスを構成し得る-  たとえば、最小スケジューリング区間に対応するレイテンシをサポートする周期性を伴って、最小スケジューリング区間にわたる基準リソースを使用し得る。場合によっては、基地局およびUEはまた、最小スケジューリング区間として、第1の持続時間よりも短くてよい第2の持続時間のTTIを使用して、互いに通信し得る。場合によっては、第2の持続時間のTTIは、「低レイテンシTTI」または「ショートTTI」(sTTIとも呼ばれる)と呼ばれることがあり、たとえば、1つの直交周波数分割多重化(OFDM)シンボルのTTI(長さが71.4μsであってよい)、2つのOFDMシンボルのTTI(長さが142.8μsであってよい)、3つのOFDMシンボルのTTI(長さが214.3μsであってよい)、または7つのOFDMシンボルのTTI(長さが0.5msであってよい)であってよい。場合によっては、第1の持続時間のTTIを使用する通信をサポートする通信プロセスは、低レイテンシTTIを使用する通信をサポートしないか、またはそうした通信に対して劣化した性能をもたらす。
【００５４】
したがって、低レイテンシTTIを使用する通信に対するCSIを生成するために、拡張されたCSI報告技法が使用され得る。たとえば、第1の持続時間のTTIを使用する通信に対するCSIを報告するために第1のCSI報告構成が使用されてよく、第2の持続時間のTTIを使用する通信に対するCSIを報告するために第2のCSI報告構成が使用されてよい。たとえば、第1のCSI報告構成は、非低レイテンシTTIを使用する通信のために使用されてよく、第2のCSI報告構成は、低レイテンシTTIを使用する通信のために使用されてよい。
【００５５】
非低レイテンシCSI報告のために使用されるCSI基準リソースは、低レイテンシCSI報告をサポートするのに適していないことがあり、したがって、第2のCSI報告構成に対して追加のCSI基準リソースが識別され得る。CSI基準リソースは、通信リソースの特定のグループから構成されてよく、チャネル品質インジケータ(CQI)インデックスなどのCSIを決定するためにワイヤレスデバイスによって使用されてよい。場合によっては、第1のCSI基準リソースが、第1のCSI報告構成に対して識別され、第2のCSI基準リソースが、第2のCSI報告構成に対して識別され、ここで、第2の基準リソースは低レイテンシ通信をサポートし得る。たとえば、第2のCSI基準リソースは、マルチキャストブロードキャスト単一周波数ネットワーク(MBSFN)サブフレームを使用し得る。
【００５６】
場合によっては、第1のCSI基準リソースおよび第2のCSI基準リソースはロングTTIにわたる。場合によっては、第2のCSI基準リソースに対するCSIは、たとえば、ショートTTIの2つまたは3つのシンボル長に基づいてトランスポートブロックサイズ計算を実行することによって、ショートTTIの持続時間に基づいて生成され得る。場合によっては、第2のCSI基準リソースはショートTTIにわたる。いくつかの場合には、CSIを報告するためのトリガがショートTTIの中で受信され、第2のCSI基準リソースはショートTTI内に位置する。他の場合には、CSIを報告するためのトリガがショートTTIの中で受信され、第2のCSI基準リソースは、トリガによってスケジュールされた報告TTIに対して別のショートTTI(たとえば、n-nCQI、ただし、nCQIは他のショートTTIへのポインタの働きをする)の中に位置する。
【００５７】
場合によっては、第1および第2のCSI報告構成は、別個のCSIプロセスであるものと見なされ、別々に動作させられる-  たとえば、トリガまたは構成される。場合によっては、別個のCSIプロセスが共同して動作させられる-  たとえば、あるCSIプロセスをトリガまたは構成することが、他のCSIプロセスをトリガまたは構成する。
【００５８】
非低レイテンシCSI報告のために構成されるCSI基準信号(RS：reference signal)および干渉測定(IM)リソースなどの基準信号リソースは、低レイテンシCSI報告をサポートしないことがあり、したがって、追加のCSI報告リソース(たとえば、アップリンクシンボル、スロット、またはサブフレーム)が低レイテンシ構成のために利用されてよい。たとえば、低レイテンシCSI報告は、第2のCSI報告構成に対するRSリソースを識別することによってサポートされ得る。場合によっては、CSI-RSおよび/または干渉測定(IM)リソースを含んでよい低レイテンシパターンが、第2のCSI報告構成に対して実施され得る。たとえば、リソース要素パターンは、第1のCSI報告構成に対する非低レイテンシパターンよりも大きい周期性を伴って構成され得る。いくつかの例では、低レイテンシパターンのCSI-RSリソースは、非低レイテンシパターンのCSI-RSリソースと重複することがある。場合によっては、低レイテンシパターンのCSI-RSリソースは、非低レイテンシパターンのCSI-RSリソースと完全に重複することがある-  たとえば、低レイテンシパターンは、それ自体として非低レイテンシパターンのCSI-RSリソースを使用し得る。
【００５９】
低レイテンシパターンに対するIMリソースはまた、非低レイテンシパターンに対するIMリソースと重複することがある。場合によっては、低レイテンシのIMリソースは、非低レイテンシと同じパターンを有することがあるか、またはレガシーIMリソースパターンに対して使用されるリソース要素(RE：resource element)のサブセットを使用することがある。たとえば、低レイテンシおよび非低レイテンシIMリソースは、1つのサブフレームの中で重複するとき、その両方が非低レイテンシゼロ電力(ZP)CSI-RSパターンによってカバーされ得る。したがって、レガシーユーザは、前述のように低レイテンシIMリソースREを介したそれらの受信をレートマッチングさせることができる。したがって、低レイテンシパターンの追加は、レガシーユーザの性能に影響を及ぼさなくてよい。しかしながら、場合によっては、低レイテンシIMリソースは(および低レイテンシ非ゼロ電力(NZP)CSI-RSも)、非低レイテンシIMおよび/またはNZP CSI-RSリソースと比較してより頻繁に送られることがあり、低レイテンシIMリソースは、非低レイテンシZP CSI-RSパターンによって常にカバーされ得るとは限らない。そのような場合、非低レイテンシUEは、低レイテンシIMR/NZP CSI-RSの存在に気づいていないことがあり、レートマッチングを実行できないことがある。
【００６０】
場合によっては、低レイテンシCSI-RS/IMリソースは、周期的に構成されなくてよいが、(たとえば、ダウンリンク制御情報(DCI：downlink control information)の中で)動的に示され得る。場合によっては、低レイテンシCSI-RS/IMリソースは、(たとえば、ダウンリンク制御情報(DCI)の中で)半永続的にスケジュールされてよい。場合によっては、低レイテンシCSI-RS/IMリソースは、上記の説明と同様に、非低レイテンシCSI-RS/IMリソースと重複するようにスケジュールされてよい。たとえば、低レイテンシCSI-RS/IMリソースは、非低レイテンシCSI-RSおよびIMリソースを搬送するシンボルにわたるsTTIの中のみにスケジュールされてよい。
【００６１】
低レイテンシCSI報告は、ワイヤレスデバイスのための処理作業負荷を増大させることがあり、したがって、低レイテンシCSI報告は、CSIを処理するための拡張された技法を使用し得る。たとえば、低レイテンシCSI報告に対するCSIは、非低レイテンシCSI報告のために使用されるサブバンドサイズに比べて増大したサブバンドサイズを使用して計算され得る。場合によっては、低レイテンシCSI報告に対して、いくつかのCSI報告タイプが除外されてよく、またはいくつかのCSI報告タイプのみが許容されてよい。たとえば、低レイテンシCSI報告は、プリコーディング行列インジケータ(PMI：precoding matrix indicator)を報告しない報告タイプに、または単一の広帯域PMIを報告する報告タイプに限定されてよい。制限付きのPMIコードブックも使用されてよい。
【００６２】
場合によっては、低レイテンシCSI報告は、アップリンクデータがCSI報告とともに送信されるかどうかに基づいてよい。たとえば、アップリンクデータを伴う非周期的なCSI報告は、サイズが制限されたCSIを使用してよく、アップリンクスケジューリングタイムライン(たとえば、n+4)に従ってCSIを報告してよい。アップリンクデータを伴わない非周期的なCSI報告は、サイズ制約がないかまたはサイズ制約が低減されたCSIを使用してよい。アップリンクデータを伴わない非周期的なCSI報告はまた、アップリンクスケジューリングタイムラインと同じかまたはそれよりも長いタイムライン(たとえば、n+6)に従ってCSIを報告してもよい。場合によっては、低レイテンシCSIのサイズは、ダウンリンクショートTTIとアップリンクショートTTIとの非対称性に基づく。たとえば、ダウンリンクTTIが2つのシンボルにわたり、かつアップリンクTTIが7つのシンボルにわたる場合、低レイテンシCSIのサイズはもっと大きくてよい。
【００６３】
上記で紹介した本開示の特徴が、ワイヤレス通信システムのコンテキストでさらに以下で説明される。ショートTTI用のCSI報告をサポートする例示的なプロセスフローの具体例が、次いで、説明される。本開示のこれらおよび他の特徴はさらに、ショートTTI用のCSI報告に関係する装置図、システム図、フローチャートによって図示され、それらを参照しながら説明される。
【００６４】
図1は、本開示の様々な態様による、ショートTTI用のCSI報告をサポートするワイヤレス通信システム100の一例を示す。ワイヤレス通信システム100は、基地局105、ユーザ機器(UE)115、およびコアネットワーク130を含む。いくつかの例では、ワイヤレス通信システム100は、ロングタームエボリューション(LTE)ネットワーク、LTEアドバンスト(LTE-A)ネットワーク、またはニューラジオ(NR)ネットワークであってよい。場合によっては、ワイヤレス通信システム100は、拡張ブロードバンド通信、超高信頼(たとえば、ミッションクリティカル)通信、低レイテンシ通信、または低コストで低複雑度のデバイスを用いた通信をサポートし得る。本開示の態様によれば、ワイヤレス通信システム100は、ショートTTI用のCSI報告をサポートし得、より詳細には、非低レイテンシ通信に対する第1のCSI報告構成および低レイテンシ通信に対する第2のCSI報告構成を実施する。
【００６５】
UE115はワイヤレス通信システム100全体にわたって分散されてよく、各UE115は固定またはモバイルであってよい。UE115は、モバイルデバイス、ワイヤレスデバイス、リモートデバイス、ハンドヘルドデバイス、もしくは加入者デバイス、またはいくつかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどの、パーソナル電子デバイスであってよい。いくつかの例では、UE115はまた、アプライアンス、車両、メーターなどの様々な物品の中に実装され得る、ワイヤレスローカルループ(WLL)局、モノのインターネット(IoT)デバイス、インターネットオブエブリシング(IoE：Internet of Everything)デバイス、またはマシンタイプ通信(MTC：machine-type communication)デバイスなどを指すことがある。
【００６６】
MTCデバイスまたはIoTデバイスなどのいくつかのUE115は、低コストまたは低複雑度のデバイスであってよく、(たとえば、機械間(M2M：Machine-to-Machine)通信を介した)機械の間の自動化された通信を提供し得る。M2M通信またはMTCは、人が介在することなくデバイスが互いにまたは基地局105と通信することを可能にするデータ通信技術を指すことがある。いくつかの例では、M2M通信またはMTCは、センサーまたはメーターを統合して情報を測定またはキャプチャし、その情報を利用できる中央サーバもしくはアプリケーションプログラムにその情報を中継するか、またはプログラムもしくはアプリケーションと対話する人間に情報を提示する、デバイスからの通信を含んでよい。いくつかのUE115は、情報を収集するかまたは機械の自動化された挙動を可能にするように設計され得る。MTCデバイスに対する適用例の例は、スマートメータリング、在庫監視、水位監視、機器監視、ヘルスケア監視、野生生物監視、天候および地質学的事象監視、フリート管理およびトラッキング、リモートセキュリティ感知、物理アクセス制御、ならびにトランザクションベースのビジネス課金を含む。
【００６７】
いくつかのUE115は、半二重通信(たとえば、送信または受信を介した一方向通信をサポートするモード、ただし、送信および受信は同時ではない)などの、電力消費を低減する動作モードを採用するように構成され得る。いくつかの例では、半二重通信は、低減されたピークレートで実行され得る。UE115のための他の電力節約技法は、アクティブな通信に関与していないときに電力節約「ディープスリープ」モードに入ること、または限定された帯域幅を介して(たとえば、狭帯域通信に従って)動作することを含む。場合によっては、UE115は、重要な機能(たとえば、ミッションクリティカル機能)をサポートするように設計されてよく、ワイヤレス通信システム100は、これらの機能のために超高信頼通信を提供するように構成されてよい。
【００６８】
場合によっては、UE115はまた、他のUE115と(たとえば、ピアツーピア(P2P：peer-to-peer)プロトコルまたはデバイス間(D2D：device-to-device)プロトコルを使用して)直接通信できる場合がある。D2D通信を利用するUE115のグループのうちの1つまたは複数は、基地局105の地理的カバレージエリア110内にあってよい。そのようなグループの中の他のUE115は、基地局105の地理的カバレージエリア110の外側にある場合があり、または通常ならば基地局105からの送信を受信できない場合がある。場合によっては、D2D通信を介して通信するUE115のグループは、各UE115がグループの中のすべての他のUE115へ送信する1対多(1：M)システムを利用し得る。いくつかの場合には、基地局105は、D2D通信用のリソースのスケジューリングを容易にする。他の場合には、D2D通信は、基地局105の関与を伴わずにUE115の間で実行される。
【００６９】
本明細書で説明する基地局105は、トランシーバ基地局、無線基地局、アクセスポイント、無線トランシーバ、ノードB、eノードB(eNB)、次世代ノードBもしくはギガノードB(それらのいずれもgNBと呼ばれることがある)、ホームノードB、ホームeノードB、またはいくつかの他の好適な用語を含んでよく、または当業者によってそのように呼ばれることがある。ワイヤレス通信システム100は、異なるタイプの基地局105(たとえば、マクロ基地局またはスモールセル基地局)を含んでよい。本明細書で説明するUE115は、マクロeNB、スモールセルeNB、gNB、中継基地局などを含む、様々なタイプの基地局105およびネットワーク機器と通信できる場合がある。
【００７０】
基地局105は、1つまたは複数の基地局アンテナを介してUE115とワイヤレス通信し得る。各基地局105は、様々なUE115との通信がサポートされる特定の地理的カバレージエリア110に関連付けられてよい。各基地局105は、通信リンク125を介してそれぞれの地理的カバレージエリア110に通信カバレージを提供し得、基地局105とUE115との間の通信リンク125は、1つまたは複数のキャリアを利用し得る。ワイヤレス通信システム100に示す通信リンク125は、UE115から基地局105へのアップリンク送信、または基地局105からUE115へのダウンリンク送信を含んでよい。ダウンリンク送信は順方向リンク送信と呼ばれることもあり、アップリンク送信は逆方向リンク送信と呼ばれることもある。
【００７１】
基地局105のための地理的カバレージエリア110は、地理的カバレージエリア110の一部分のみを構成するセクタに分割されてよく、各セクタは、セルに関連付けられてよい。たとえば、各基地局105は、マクロセル、スモールセル、ホットスポット、もしくは他のタイプのセル、またはそれらの様々な組合せのための通信カバレージを提供し得る。いくつかの例では、基地局105は移動可能であってよく、したがって、移動する地理的カバレージエリア110に通信カバレージを提供し得る。いくつかの例では、異なる技術に関連する異なる地理的カバレージエリア110は重複することがあり、異なる技術に関連し重複する地理的カバレージエリア110は、同じ基地局105によって、または異なる基地局105によって、サポートされ得る。ワイヤレス通信システム100は、たとえば、異なるタイプの基地局105が様々な地理的カバレージエリア110にカバレージを提供する異種LTE/LTE-AまたはNRネットワークを含んでよい。
【００７２】
「セル」という用語は、(たとえば、キャリアを介した)基地局105との通信のために使用される論理的な通信エンティティを指し、同じかまたは異なるキャリアを介して動作する隣接するセルを区別するための識別子(たとえば、物理セル識別子(PCID：physical cell identifier)、仮想セル識別子(VCID：virtual cell identifier))に関連付けられてよい。いくつかの例では、キャリアは複数のセルをサポートし得、異なるセルは、異なるタイプのデバイスにアクセスを提供し得る異なるプロトコルタイプ(たとえば、MTCプロトコル、狭帯域モノのインターネット(NB-IoT：narrowband Internet-of-Things)プロトコル、拡張モバイルブロードバンド(eMBB：enhanced mobile broadband)プロトコル、または他のプロトコル)に従って構成され得る。場合によっては、「セル」という用語は、論理エンティティがそれを介して動作する、地理的カバレージエリア110の一部分(たとえば、セクタ)を指すことがある。
【００７３】
基地局105はまた、互いに通信し得る。たとえば、基地局105は、バックホールリンク134を介して(たとえば、X2インターフェースまたは他のインターフェースを介して)、直接(たとえば、基地局105の間で直接)または間接的に(たとえば、コアネットワーク130を介して)のいずれかで互いに通信し得る。基地局105はまた、コアネットワーク130と通信し得る。たとえば、基地局105は、バックホールリンク132を通じて(たとえば、S1インターフェースまたは他のインターフェースを介して)コアネットワーク130とインターフェースし得る。
【００７４】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は発展型パケットコア(EPC：evolved packet core)であってよく、発展型パケットコアは、少なくとも1つのモビリティ管理エンティティ(MME：mobility management entity)、少なくとも1つのサービングゲートウェイ(S-GW：serving gateway)、および少なくとも1つのパケットデータネットワーク(PDN：Packet Data Network)ゲートウェイ(P-GW)を含んでよい。MMEは、EPCに関連する基地局105によってサービスされるUE115のためのモビリティ、認証、ベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS：IP Multimedia Subsystem)、またはパケット交換(PS：Packet-Switched)ストリーミングサービスへのアクセスを含んでよい。
【００７５】
基地局105などのネットワークデバイスのうちの少なくともいくつかは、アクセスノードコントローラ(ANC：access node controller)の一例であってよいアクセスネットワークエンティティなどの副構成要素を含んでよい。各アクセスネットワークエンティティは、ラジオヘッド、スマートラジオヘッド、または送信/受信ポイント(TRP：transmission/reception point)と呼ばれることがあるいくつかの他のアクセスネットワーク送信エンティティを通じてUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてもよい。
【００７６】
ワイヤレス通信システム100は、通常は300MHz〜300GHzの範囲の中の1つまたは複数の周波数帯域を使用して動作し得る。一般に、300MHzから3GHzまでの領域は、波長の長さがほぼ1デシメートルから1メートルまでに及ぶので、極超短波(UHF)領域またはデシメートル帯域と呼ばれる。UHF波は、建物および環境特性によって遮断されることがあり、または方向が変えられることがある。しかしながら、その波は、マクロセルが屋内に位置するUE115にサービスを提供するのに十分に構造物を貫通し得る。UHF波の送信は、300MHzを下回るスペクトルの短波(HF)部分または超短波(VHF)部分のより低い周波数およびより長い波を使用する送信と比較して、より小型のアンテナおよびより短い距離(たとえば、100km未満)に関連し得る。
【００７７】
ワイヤレス通信システム100はまた、センチメートル帯域とも呼ばれる、3GHzから30GHzまでの周波数帯域を使用する超高周波(SHF)領域の中で動作し得る。SHF領域は、他のユーザからの干渉を許容できるデバイスによって機会主義的に使用され得る5GHz産業科学医療(ISM)バンドなどの帯域を含む。
【００７８】
ワイヤレス通信システム100はまた、ミリメートル帯域とも呼ばれる(たとえば、30GHzから300GHzまでの)スペクトルの極高周波(EHF)領域の中で動作し得る。いくつかの例では、ワイヤレス通信システム100は、UE115と基地局105との間のミリ波(mmW)通信をサポートし得、それぞれのデバイスのEHFアンテナは、UHFアンテナよりもさらに小型であってよく、間隔がより密であってよい。場合によっては、このことはUE115内のアンテナアレイの使用を容易にし得る。しかしながら、EHF送信の伝搬は、SHF送信またはUHF送信よりもさらに大きい大気減衰およびより短い距離を条件とすることがある。本明細書で開示する技法は、1つまたは複数の異なる周波数領域を使用する送信にわたって採用されてよく、これらの周波数領域にわたる帯域の指定された使用は、国または規制団体によって異なることがある。
【００７９】
場合によっては、ワイヤレス通信システム100は、認可無線周波数スペクトル帯域と無認可無線周波数スペクトル帯域の両方を利用し得る。たとえば、ワイヤレス通信システム100は、5GHzのISMバンドなどの無認可帯域の中で、認可支援型アクセス(LAA：License Assisted Access)もしくはLTE無認可(LTE-U：LTE-Unlicensed)無線アクセス技術またはNR技術を採用し得る。無認可無線周波数スペクトル帯域の中で動作するとき、基地局105およびUE115などのワイヤレスデバイスは、データを送信する前に周波数チャネルがクリアであることを保証するために、リッスンビフォアトーク(LBT：listen-before-talk)プロシージャを採用し得る。場合によっては、無認可帯域の中での動作は、認可帯域の中で動作する(たとえば、LAAの)CCに関連するCA構成に基づいてよい。無認可スペクトルの中での動作は、ダウンリンク送信、アップリンク送信、ピアツーピア送信、またはこれらの組合せを含んでよい。無認可スペクトルの中での複信は、周波数分割複信(FDD)、時分割複信(TDD)、またはその両方の組合せに基づいてよい。
【００８０】
場合によっては、ワイヤレス通信システム100は、階層化プロトコルスタックに従って動作するパケットベースのネットワークであってよい。ユーザプレーンでは、ベアラまたはパケットデータコンバージェンスプロトコル(PDCP)レイヤにおける通信はIPベースであってよい。無線リンク制御(RLC)レイヤが、場合によっては、論理チャネルを介して通信するためのパケットセグメンテーションおよびリアセンブリを実行し得る。メディアアクセス制御(MAC)レイヤが、優先度処理、およびトランスポートチャネルへの論理チャネルの多重化を実行し得る。MACレイヤはまた、リンク効率を改善するために、ハイブリッド自動再送要求(HARQ)を使用してMACレイヤにおける再送信を行ってよい。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行ってよい。物理(PHY)レイヤにおいて、トランスポートチャネルが物理チャネルにマッピングされ得る。
【００８１】
LTEまたはNRにおける時間区間は、たとえば、Ts=1/30,720,000秒というサンプリング期間を指すことがある基本時間単位の倍数で表現され得る。通信リソースの時間区間は、各々が10ミリ秒(ms)の持続時間を有する無線フレームに従って編成されてよく、ここで、フレーム期間はTf=307,200Tsとして表現され得る。無線フレームは、0から1023までに及ぶシステムフレーム番号(SFN：system frame number)によって識別され得る。各フレームは0から9まで番号が付けられた10個のサブフレームを含んでよく、各サブフレームは持続時間が1msであってよい。サブフレームは、各々が0.5msの持続時間を有する2つのスロットにさらに分割されてよく、各スロットは、(たとえば、各シンボル期間の前に付加されるサイクリックプレフィックスの長さに応じて)6つまたは7つの変調シンボル期間を含んでよい。サイクリックプレフィックスを除外すると、各シンボル期間は2048個のサンプリング期間を含んでよい。いくつかの場合には、サブフレームは、ワイヤレス通信システム100の最小スケジューリング単位であってよく、TTIと呼ばれることがある。他の場合には、ワイヤレス通信システム100の最小スケジューリング単位は、サブフレームよりも短くてよく(たとえば、1または2シンボル期間であってよく)、または(たとえば、短縮TTI(sTTI：shortened TTI)のバーストの中で、またはsTTIを使用する選択されたコンポーネントキャリアの中で)動的に選択されてもよい。
【００８２】
いくつかのワイヤレス通信システムでは、スロットは、1つまたは複数のシンボルを含む複数のミニスロットにさらに分割されてよい。いくつかの事例では、ミニスロットのシンボル、またはミニスロットは、スケジューリングの最小単位であってよい。各シンボルは、たとえば、動作のサブキャリア間隔または周波数帯域に応じて、持続時間が変化してよい。さらに、いくつかのワイヤレス通信システムは、複数のスロットまたはミニスロットが一緒に集約されUE115と基地局105との間の通信のために使用される、スロットアグリゲーションを実施し得る。
【００８３】
「キャリア」という用語は、通信リンク125を介した通信をサポートするための規定された物理レイヤ構造を有する、1組の無線周波数スペクトルリソースを指す。たとえば、通信リンク125のキャリアは、所与の無線アクセス技術のための物理レイヤチャネルに従って動作させられる無線周波数スペクトル帯域の一部分を含んでよい。各物理レイヤチャネルは、ユーザデータ、制御情報、または他のシグナリングを搬送し得る。キャリアは、事前定義された周波数チャネル(たとえば、E-UTRA絶対無線周波数チャネル番号(EARFCN：E-UTRA absolute radio frequency channel number))に関連付けられてよく、UE115による発見のためのチャネルラスタに従って配置されてよい。キャリアは、(たとえば、FDDモードでは)ダウンリンクもしくはアップリンクであってよく、または(たとえば、TDDモードでは)ダウンリンク通信およびアップリンク通信を搬送するように構成されてもよい。いくつかの例では、キャリアを介して送信される信号波形は、(たとえば、直交周波数分割多重化(OFDM)またはDFT-s-OFDMなどのマルチキャリア変調(MCM：multi-carrier modulation)技法を使用して)複数のサブキャリアから構成されてよい。
【００８４】
キャリアの組織的な構造は、異なる無線アクセス技術(たとえば、LTE、LTE-A、NRなど)に対して異なってよい。たとえば、キャリアを介した通信は、その各々がユーザデータならびにユーザデータの復号をサポートするための制御情報またはシグナリングを含んでよい、TTIまたはスロットに従って編成されてよい。キャリアはまた、専用の捕捉シグナリング(たとえば、同期信号またはシステム情報など)を含んでよく、キャリアに対して動作を協調させるシグナリングを制御し得る。いくつかの例では(たとえば、キャリアアグリゲーション構成では)、キャリアはまた、捕捉シグナリングを有してよく、または他のキャリアに対して動作を協調させるシグナリングを制御し得る。
【００８５】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルの中で送信される制御情報は、異なる制御領域の間で(たとえば、共通制御領域または共通探索空間と、1つまたは複数のUE固有制御領域またはUE固有探索空間との間で)カスケード方式で分散されてよい。
【００８６】
キャリアは、無線周波数スペクトルの特定の帯域幅に関連してよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアに対するいくつかの所定の帯域幅(たとえば、1.4、3、5、10、15、20、40、または80MHz)のうちの1つであってよい。いくつかの例では、サービスされる各UE115は、キャリア帯域幅の部分または全部を介して動作するために構成され得る。他の例では、いくつかのUE115は、キャリア内(たとえば、狭帯域プロトコルタイプの「インバンド」展開)の既定の部分または範囲(たとえば、サブキャリアまたはRBのセット)に関連する狭帯域プロトコルタイプを使用する動作のために構成され得る。
【００８７】
NRシステムなどのワイヤレス通信システムは、とりわけ、認可スペクトル帯域、共有スペクトル帯域、および無認可スペクトル帯域の任意の組合せを利用し得る。eCCシンボル持続時間およびサブキャリア間隔のフレキシビリティにより、複数のスペクトルにわたるeCCの使用が可能になり得る。いくつかの例では、特にリソースの動的な(たとえば、周波数にわたる)垂直方向および(たとえば、時間にわたる)水平方向の共有を通じて、NR共有スペクトルはスペクトル利用率およびスペクトル効率を高め得る。
【００８８】
場合によっては、UE115および基地局105は、データの受信に成功する可能性を高めるために、データの再送信をサポートし得る。HARQフィードバックは、通信リンク125を介してデータが正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含んでよい。HARQは、劣悪な無線条件(たとえば、信号対雑音条件)でのMACレイヤにおけるスループットを改善し得る。いくつかの場合には、ワイヤレスデバイスは、同じスロットのHARQフィードバックをサポートし得、ここで、デバイスは、スロットの中の以前のシンボルの中で受信されたデータに対して、特定のスロットの中でHARQフィードバックを提供し得る。他の場合には、デバイスは、後続のスロットの中で、またはいくつかの他の時間区間に従って、HARQフィードバックを提供し得る。
【００８９】
UE115および基地局105はまた、通信の信頼性を高めるためにCSI報告を使用し得る。たとえば、UE115は、CSI報告を生成するとともにそれを基地局105へ送信してよく、基地局105は、受信されたCSI報告に基づいて、後続の送信用の送信パラメータを修正してよい-  たとえば、UE115が良好なチャネル条件を示すとき、基地局105は後続の送信に対してもっと高い変調次数を使用してよく、後続の通信のスループットを高める。
【００９０】
CSI報告は、CSI-RSリソースインジケータ(CRI：CSI-RS resource indicator)、ランクインジケータ(RI：rank indicator)、PMI(たとえば、PMI-1およびPMI-2)、CQI、またはこれらの構成要素のいくつかの組合せを含む、複数のフィードバック構成要素を含んでよい。場合によっては、生成されるCSI報告は、通信に対するTTI構成に基づいて異なる。たとえば、非低レイテンシTTIを使用する通信は、8レイヤまでの送信をサポートし得るが、低レイテンシTTIを使用する通信は、4レイヤまでの送信をサポートし得る。したがって、CSI構成要素計算値はTTI構成に基づいて異なってよい。
【００９１】
CRI構成要素は、対応するRI/PMI/CQI測定に対してどのCSI-RSリソースが使用されるのか(すなわち、ビームフォーミングされた複数の送信の、どの送信ビームが好ましいのか)を示すために使用され得る。RI構成要素は、UE115において受信された、以前の送信の信号/干渉対雑音(SINR)に基づいて、基地局105が後続の送信において使用すべき送信レイヤの数(すなわち、ランク)を推奨するために、使用され得る。RI構成要素のサイズは、基地局105によって使用される送信レイヤの数に基づいてよい。
【００９２】
PMI構成要素は、プリコーディングプロセス中に適用されるべき好適な重みをシグナリングするために使用されてよく、ここで、シグナリングされる重みは、UE115において受信される送信のS/N比を大きくし得る。PMI構成要素は、2つの副構成要素、すなわち、PMI-1およびPMI-2に分離され得る。PMI-1は、全周波数帯域のチャネル条件および/または長期のチャネル条件に関連してよく、PMI-2は、固定の周波数サブバンドのチャネル条件および/または短期のチャネル条件に関連してよい。いくつかの態様では、PMI-2は、固定の周波数サブバンドごとに報告されてよい。したがって、PMI-2構成要素のサイズは、UEへのダウンリンク送信のために使用される周波数帯域内の固定の周波数サブバンドの数に比例し得る。場合によっては、広帯域PMIのみが報告され、PMI構成要素のサイズを小さくする。
【００９３】
通常、UE115および基地局105は、ダウンリンク送信にとって好適なプリコーディング行列を含むコードブックについて合意する。いくつかの態様では、コードブックは、チャネル条件の比較的遅い変化に関連する長期サブコードブック、および増大したレートで変化するチャネル条件に関連する短期サブコードブックを含む。しばしば、プリコーディング行列コードブックは、ランクごとに規定される(たとえば、ランク1が第1のコードブックに関連し、ランク2が第2のコードブックに関連し、以下同様である)。その上、異なるプリコーディング行列を伝達するために使用されるビットの数は、しばしば、選択されるコードブックに基づいて異なる。したがって、両方のPMI構成要素のサイズはまた、UE115によって選択されるランクに基づいて変わることがある。PMIフィードバックを減らすために、UE115は、全コードブックの中の利用可能なプリコーディング行列のサブセットを含む、サブサンプリングされたコードブックを使用し得る。
【００９４】
CQI構成要素は、チャネル品質情報を基地局105にシグナリングするために使用されてよく、基地局105は、後続の送信用の変調およびコーディング方式(MCS：modulation and coding scheme)を選択するために、CQI構成要素の中の情報を使用し得る。PMI-2構成要素と同様に、CQIは、固定の周波数サブバンドごとに報告され得る。したがって、CQI構成要素のサイズは、UE115へのダウンリンク送信のために使用される周波数帯域内の固定の周波数サブバンドの数に比例し得る。CQI構成要素は、特定の変調およびコーディング方式に対応する複数のインデックス(たとえば、インデックス0〜インデックス15)を含んでよい。
【００９５】
周波数サブバンドごとにCQIインデックスを決定するために、UE115は、ダウンリンク物理リソースブロックのグループを占有する(CSI基準リソースと呼ばれることがある)単一の物理ダウンリンク共有チャネル(PDSCH：physical downlink shared channel)トランスポートブロックを識別し得る。場合によっては、CSI基準リソースは、CQIを報告するために指定されるアップリンクサブフレームに対して識別され得る。UE115は、次いで、0.1を超過しないトランスポートブロック誤り確率を伴って受信されているPDSCHトランスポートブロックに関連する、最大のCQIインデックスに対応するPDSCHトランスポートブロックに対して、変調方式とトランスポートブロックサイズとの組合せを決定し得る。その組合せが、関連するトランスポートブロックサイズテーブルに従ってCSI基準リソースの中のPDSCH上の送信からシグナリングされ得る場合、変調方式およびトランスポートブロックサイズはCQIインデックスに対応し、変調方式はCQIインデックスによって示され、基準リソースに適用されるときのトランスポートブロックサイズと変調方式との組合せは、CQIインデックスによって示されるコードレートにできる限り最も近い実効的なチャネルコードレートをもたらす。
【００９６】
いくつかの例では、CQIは、ダウンリンク送信の中に含まれる共通基準信号(CRS：common references signal)に基づく-  たとえば、送信モード(TM：transmission mode)1〜8がCRSを使用し得る。いくつかの例では、CQIは、ダウンリンク送信の中に含まれるCSI-RSに基づく-  たとえば、TM9および10がCSI-RSを使用し得る。たとえば、TM9に対して、パラメータpmi-RI-reportが上位レイヤによって構成され、かつパラメータeMIMO-typeが上位レイヤによって構成されないとき、UEはNZP CSI-RSに基づいてCQIを導出し得る。いくつかの事例では、TM10に対して、パラメータeMIMO-typeが上位レイヤによって構成されるとき、UEは、CSIプロセスに関連するCSI-RSリソース内のNZP CSI-RSに基づいて、CSIプロセスに対応するCQIを算出するためのチャネル測定値を導出し得る。そして、パラメータeMIMO-typeが上位レイヤによって構成されないとき、UEは、CSIプロセスに関連するCSI-IMリソースに基づいて、CSIプロセスに対応するCQIを算出するための干渉測定値を導出し得る。TM9および10はMIMO通信をサポートし得る。
【００９７】
UEはまた、TM9および10と類似であってよい全次元MIMO(FD-MIMO：full dimension-MIMO)TMを使用し得る。上のTMの各々は、非低レイテンシ通信もしくは低レイテンシ送信のいずれか、またはその両方を実施し得る。UE115は、非低レイテンシ通信に対して第1の送信モードに従って、また低レイテンシ通信に対して第2の送信モードに従って、送信するように構成されてよい。またはUE115は、同じ送信モードに従って非低レイテンシ通信と低レイテンシ通信の両方を送信するように構成されてもよい。
【００９８】
いくつかの例では、CQIインデックス計算値は、CSI基準リソースの長さの関数である。場合によっては、CSI基準リソースは、データ領域の中にCRSを有しないことがあるMBSFNサブフレームなどの、いくつかのタイプのサブフレームを使用することが禁止される。
【００９９】
CSI報告は、周期的または非周期的のいずれかで構成され得る。周期的なCSI報告に対して、基地局105は、指定された区間に従ってCSIを報告するようにUE115に指示し得る。いくつかの態様では、指定される区間は、カバレージエリア内の他のUE115に指定された区間から時間領域または周波数領域のいずれかにおいて一意である。基地局105は、指定されたリソースを使用する指定された区間中にUE115からの応答を予想してよく、その区間中に受信された情報を、スケジュールされたUE115と相関させてよい。すなわち、基地局105は、CSI報告を伝達するために使用される時間および周波数リソースに基づいて、UE115を識別し得る。いくつかの態様では、周期的なCSIは、物理アップリンク制御チャネル(PUCCH：physical uplink control channel)リソースを使用して報告されてよい。
【０１００】
非周期的な報告に対して、基地局105は、CSIを報告するようにUE115をトリガするトリガを、UE115へ送ってよい。トリガを受信した後、UE115はCSIを基地局105へ送信してよい。いくつかの態様では、非周期的なCSI報告は、物理アップリンク共有チャネル(PUSCH：physical uplink shared channel)リソースを使用して送信されてよく、基地局105は、スケジュールされたリソースを介してCSI報告を受信し得る。
【０１０１】
いくつかの例では、複数のCSIプロセスが一度に構成される。各CSIプロセスは、インデックスに関連付けられてよく、非周期的な報告に対して、UE115は、最小のインデックスが付けられたCSIプロセスの決定された個数を更新し得る。たとえば、UE115は、最小のインデックスが付けられたCSIプロセスのうちのN個を更新してよく、ただし、N=max(Nx-Nu,0)であり、NCSI-PはサポートされるCSIプロセスの最大数であり、Nuはサービングセルに対する他の非周期的なCSI要求に関連する報告されないCSIプロセスの数である。FDDサービングセルの場合、Nx=NCSI-Pである。
【０１０２】
上記で説明したように、UE115および基地局105は、第1のサイズのTTIおよび第2のサイズのTTIを使用して通信し得る。いくつかの例では、CSI報告は、第1のサイズのTTIをサポートするように構成される-  たとえば、CSI基準リソースは1msにわたるように構成され、CSIおよび基準信号リソースは、1ms通信などをサポートする周期性を伴って構成される。第2のサイズのTTI用のCSI報告をサポートするために、UE115および基地局105は、第2のサイズのTTIをサポートするように構成される第2のCSI構成を確立し得る-  たとえば、CSI基準リソースは2または3シンボル期間にわたるように構成され得、基準信号リソースは低レイテンシ通信などをサポートする周期性を伴って構成され得る。
【０１０３】
図2は、本開示の様々な態様による、ショートTTI用のCSI報告をサポートするワイヤレス通信サブシステム200の一例を示す。ワイヤレス通信サブシステム200は、UE115または基地局105の例であってよく図1を参照しながら上記で説明したように互いに通信し得る、UE115-aおよび基地局105-aを含んでよい。ワイヤレス通信サブシステム200はまた、ダウンリンク205、アップリンク210、ダウンリンク送信215、アップリンク送信220、TTI225、sTTI230、およびCSI報告235を含んでよい。
【０１０４】
ダウンリンク205は、制御情報およびユーザデータを基地局105-aからUE115-aに通信するために使用され得る。ダウンリンク205は、コンポーネントキャリアの中の時間および周波数リソースから構成され得る。アップリンク210は、制御情報およびユーザデータをUE115-aから基地局105-aに通信するために使用され得る。アップリンク210は、コンポーネントキャリアの中の時間および周波数リソースから構成され得る。場合によっては、アップリンク210は、ダウンリンク205よりも少量の周波数リソースを使用する。
【０１０５】
ダウンリンク送信215は、制御データおよび/またはユーザデータを基地局105-aからUE115-aに搬送し得る。ダウンリンク送信215はまた、チャネル推定を可能にするための基準信号リソースを含んでよい。場合によっては、ダウンリンク送信215は、ダウンリンク205によって使用される時間および周波数リソースのサブセットを介して送信され得る。いくつかの例では、UE115-aは、基地局105-aから受信される許可に基づいて、どの時間および周波数リソースがダウンリンク送信215によって使用されるのかを識別し得る。アップリンク送信220は、制御データおよび/またはユーザデータをUE115-aから基地局105-aに搬送し得る。場合によっては、アップリンク送信220は、アップリンク210によって使用される時間および周波数リソースのサブセットを介して送信され得る。いくつかの例では、UE115-aは、基地局105-aから受信されるアップリンク許可に基づいて、どの時間および周波数リソースがアップリンク送信220のためにスケジュールされるのかを識別し得る。
【０１０６】
TTI225は、基地局105-aとUE115-aとの間での第1の構成の通信をスケジュールするときに使用される最小スケジューリングリソースであってよい。たとえば、基地局105-aとUE115-aとの間の非低レイテンシ通信の場合、TTI225は1msにわたってよい。場合によっては、ダウンリンク送信215用およびアップリンク送信用のリソースは、TTIごとにスケジュールされ得る。いくつかの例では、最小スケジューリング区間としてTTI225を使用する通信のために第1のCSI報告方式が使用され得る。
【０１０７】
STTI230は、基地局105-aとUE115-aとの間での第2の構成の通信をスケジュールするときに使用される最小スケジューリングリソースであってよい。場合によっては、sTTI230は、TTI225よりも短くてよく長さが変化してもよい。たとえば、基地局105-aとUE115-aとの間の低レイテンシ通信の場合、sTTI230は、1つのOFDMシンボルのTTI、2つのOFDMシンボルのTTI、3つのOFDMシンボルのTTI、または7つのOFDMシンボルのTTIであってよい。いくつかの例では、最小スケジューリング区間としてsTTI230を使用する通信のために第2のCSI報告方式が使用され得る。
【０１０８】
CSI報告235はCSIを搬送し得、通信リソースの使用を最適化する送信パラメータを決定するために使用され得る-  たとえば、CSIは、基地局に、より高いMCSを使用させて大きい信号対雑音比(SNR)を利用してよく、またはより低いMCSを使用させて低いSNRが存在するときの送信の信頼性を高めてもよい。上記で説明したように、CSI報告235は、CRI、RI、PMI、および/またはCQIを含んでよい。
【０１０９】
場合によっては、基地局105-aは、周期的にCSIを報告するようにUE115-aを構成する。いくつかの例では、基地局105-aは、CSI報告をサポートする特定のダウンリンクリソースおよびアップリンクリソースを識別するためにUE115-aが使用し得るオフセットおよび周期性を、UE115-aに提供する。たとえば、UE115-aは、提供されたオフセットおよび周期性に基づいて、CSI報告を送信するための1つまたは複数のCSI報告リソースを識別し得る。UE115-aはまた、報告リソースに基づいて、CSI値を算出するための1つまたは複数のCSI基準リソースを識別し得る。たとえば、UE115-aは、CSI報告リソースに対するCSI基準リソースを識別し得る-  たとえば、CSI基準リソースは、そのロケーションがnとして表されてよい報告TTIまたはsTTIリソースからnCQI個のTTIまたはsTTIだけ離れて位置し得る。いくつかの例では、UE115-aは、低レイテンシCSI構成に対する構成情報および非低レイテンシCSIに対する構成情報を受信し得る。
【０１１０】
一例では、基地局105-aは、ダウンリンク205を介してダウンリンク送信215をUE115-aへ送信する。ダウンリンク送信215は、TTI225の長さに基づいて構成されている送信、およびsTTI230の長さに基づいて構成されている送信を含んでよい。ダウンリンク送信215はまた、低レイテンシCSI報告構成に対するCSI基準リソース、および非低レイテンシCSI報告構成に対するCSI基準リソースを含んでよい。場合によっては、UE115-aは、ダウンリンク送信215を受信し得、ダウンリンク送信215の中の低レイテンシCSI基準リソースおよび非低レイテンシCSI基準リソースを識別し得る。場合によっては、UE115-aは、受信された低レイテンシ構成情報に基づいて低レイテンシCSI基準リソースを識別し得、受信された非低レイテンシ構成情報に基づいて非低レイテンシCSI基準リソースを識別し得る。
【０１１１】
場合によっては、UE115-aは、低レイテンシCSI基準リソースがTTI225にわたることを識別する。低レイテンシCSI基準リソースを識別した後、UE115-aは、たとえば、<0.1の誤り確率をサポートする最大のCQIインデックスに対応する変調方式およびトランスポートブロックサイズを決定することによって、上記で説明したようにCSI基準リソースに対するCQIインデックスを決定し得る。いくつかの場合には、UE115-aは、最大のCQIインデックスを決定するとき、2つまたは3つのシンボルのsTTI長を想定し得る。他の場合には、UE115-aは、低レイテンシCSI基準リソースがsTTI230にわたることを識別する。
【０１１２】
いくつかの例では、UE115-aは、ダウンリンク送信215のMBSFNサブフレームの中に、またはCRSを制御領域の中に有するがデータ領域の中には有しないサブフレームの中に、低レイテンシCSI基準リソースが位置することを識別する。UE115-aは、CQIインデックスを決定するとき、チャネル推定のために制御領域の中のCRSを使用し得る。場合によっては、干渉統計値は制御領域およびデータ領域の中で異なり、UE115-aは、干渉を推定するために、MBSFNサブフレームに先行するサブフレームのデータ領域の中で受信されたCRSを使用し得る。場合によっては、UE115-aは、低レイテンシ考慮事項に基づいて考慮されるCRSをデータ領域の中に含む、以前のサブフレームの数を限定する-  たとえば、UE115-aは、MBSFNサブフレームの2〜3ms前に出現したサブフレームからのCRSを使用し得る。場合によっては、低レイテンシCSI基準リソースとしてのMBSFNサブフレームの使用は、UE115-aにおける構成された送信モードに基づく。たとえば、UE115-aが送信モード1〜8のうちのいずれか1つに対して構成されるとき、MBSFNサブフレームは低レイテンシCSI基準リソースとして使用されなくてよい。
【０１１３】
いくつかの例では、非低レイテンシCSI報告および低レイテンシCSI報告は、たとえば、各構成が異なる数の送信レイヤをサポートすることに基づいて、異なって算出され得る。場合によっては、非低レイテンシCSI報告に対して第1のRRC構成が確立され、低レイテンシCSI報告に対して第2のRRC構成が確立される。周期的な報告の場合、第1のRRC構成は、報告モードおよび第1の周期性の第1のセットを含んでよく、第2のRRC構成は、報告モードおよび第2の周期性の第2のセットを含んでよい。
【０１１４】
基地局105-aはまた、非周期的にCSIを報告するようにUE115-aをスケジュールしてもよい。たとえば、基地局105-aは、ダウンリンク送信215中にCSI報告235を準備するようにUE115-aをトリガしてよい。ダウンリンク送信215の中でCSI報告を準備するようにUE115-aがトリガされる場合、UE115-aは、ダウンリンク送信215の中に含まれる基準リソースに基づいてCSIを決定してよい。場合によっては、UE115-aは、アップリンク送信220の中にスケジュールされた単一のアップリンクsTTI230に対応するダウンリンク送信215の中で、複数のダウンリンクsTTI230を受信する。いくつかの例では、トリガは、複数のダウンリンクsTTI230のうちの1つの中でしか送られなくてよい。いくつかの例では、UE115-aは、1つまたは複数のCSIリソースがダウンリンク送信215の中に位置することを決定し得る。たとえば、UE115-aは、低レイテンシCSI構成に対するCSIリソース、および非低レイテンシCSI構成に対するCSIリソースが、ダウンリンク送信215の中に存在することを決定し得る。
【０１１５】
一例では、基地局105-aは、ダウンリンク205を介してダウンリンク送信215をUE115-aへ送信する。ダウンリンク送信215は、TTI225に基づいて構成されている送信、およびsTTI230に基づいて構成されている送信を含んでよい。ダウンリンク送信215はまた、CSI報告に対するトリガ、および低レイテンシCSI報告構成に対するCSI基準リソースを含んでよい。場合によっては、UE115-aは、ダウンリンク送信215を受信し得、CSI報告トリガを識別し得、ダウンリンク送信215の中の低レイテンシCSI基準リソースを識別し得る。
【０１１６】
いくつかの例では、UE115-aは、低レイテンシCSI基準リソースが、トリガを搬送するTTI225にわたることを識別し得る。他の場合には、UE115-aは、低レイテンシCSI基準リソースが、トリガがその中で受信されるsTTI230にわたることを識別し得る。UE115-aは、干渉測定およびチャネル測定を実行するために、CSI基準リソースの中に含まれるCRSシンボルを使用してよい。いくつかの例では、UE115-aは、低レイテンシCSI基準リソースが、トリガを搬送するサブフレームに先行するサブフレームの中に位置するsTTI230であることを識別し得る。たとえば、UE115-aは、sTTI230が、トリガを搬送するサブフレームからnCQI個だけ離れているサブフレームの中にあることを決定し得る。
【０１１７】
いくつかの例では、非低レイテンシCSI報告および低レイテンシCSI報告は、たとえば、各構成が異なる数の送信レイヤをサポートすることに基づいて、異なって算出され得る。場合によっては、低レイテンシCSI報告は、非低レイテンシCSI報告とは別々に、または非低レイテンシCSI報告と共同して、トリガされ得る。たとえば、トリガは、CSI報告構成のうちの一方または両方をトリガするように設定され得るCSI要求フィールドを含んでよい-  たとえば、第1のビット値(たとえば、「00」)が、低レイテンシCSI報告をトリガしてよく、第2のビット値(たとえば、「01」)が、非低レイテンシCSI報告をトリガしてよく、第3のビット値(たとえば、「10」)が、低レイテンシCSI報告と非低レイテンシCSI報告の両方をトリガしてよい。
【０１１８】
CSIプロセス能力は、共同してまたは別々に規定され得る。たとえば、非低レイテンシCSIプロセスおよび低レイテンシCSI報告は、別個のインデックスが割り当てられてよく、または共通のインデックスが割り当てられてもよい。いくつかの例では、非低レイテンシCSI報告構成は、低レイテンシCSI報告構成とは別個のCSIプロセスであるものと見なされる。いくつかの例では、1つまたは複数の低レイテンシCSIプロセスに対してCSIを更新することは、1つまたは複数の非低レイテンシCSIプロセスに対してCSIを更新することとは別個に行われてよい。場合によっては、UEは、低レイテンシCSIプロセスに割り当てられたインデックスが、最小のインデックスが付けられたN個の低レイテンシCSIプロセスのうちの1つであるかどうかに基づいて、低レイテンシCSIプロセスに対するCSIを更新し得る。たとえば、UE115は、(たとえば、低レイテンシCSIトリガが受信されると)最小のインデックスが付けられた低レイテンシCSIプロセスのうちのN個を更新してよく、ただし、N=max(Nx-Nu,0)であり、NCSI-Pはサポートされる低レイテンシCSIプロセスの最大数であり、Nuは報告されない低レイテンシCSIプロセスの数である。UEは、非低レイテンシCSIプロセスに割り当てられたインデックスが、最小のインデックスが付けられたN個の非低レイテンシCSIプロセスのうちの1つであるかどうかに基づいて、(たとえば、非低レイテンシCSIトリガが受信されると)非低レイテンシCSIプロセスに対するCSIを別個に更新してよく、ただし、N=max(Nx-Nu,0)であり、NCSI-Pはサポートされる非低レイテンシCSIプロセスの最大数であり、Nuは報告されない非低レイテンシCSIプロセスの数である。
【０１１９】
場合によっては、基地局105-aは、ダウンリンク送信215の中で基準信号を送信してよい。たとえば、基地局105-aは、ダウンリンク送信215の中でCRSおよび/またはCSI-RSを送信してよい。基地局105-aはまた、ダウンリンク送信215中にIMリソースを構成してよい。CRSベースのCSI報告(たとえば、送信モード1〜8、およびPMIを伴わない9)に対して、UE115-aは、CRSリソースを使用して低レイテンシCSIを計算し得る。
【０１２０】
CSI-RSおよび/またはIMベースのCSI報告(たとえば、送信モード9、10、およびFD-MIMO)に対して、CSI-RSおよびIMリソースが、低レイテンシCSI報告をサポートするために使用され得る。ダウンリンク送信215は、NZPおよびZP CSI-RSを含むことがあるCSI-RSリソース、ならびに非低レイテンシCSI報告をサポートするように構成されているIMリソースを含んでよい。非低レイテンシCSI-RSおよび/またはIMリソースは、非低レイテンシパターンに従って構成され得る。いくつかの例では、非低レイテンシZP CSI-RSリソースは、非低レイテンシCSI-RSおよびIMリソースをサポートするように構成される。いくつかの例では、非低レイテンシCSI-RSおよび/またはIMリソースは、非低レイテンシ通信をサポートする周期性を伴って構成される。他のUEは、周期性に基づいてダウンリンク送信215の中のCSI-RSリソースの周囲を識別するとともにレートマッチングさせてよい。
【０１２１】
場合によっては、ダウンリンク送信215はまた、非低レイテンシCSI報告をサポートするように構成されているCSI-RSおよびIMリソースを含んでよい。低レイテンシCSI-RSおよび/またはIMリソースは、低レイテンシパターンに従って構成され得る。いくつかの例では、低レイテンシCSI-RSおよび/またはIMリソースは、低レイテンシ通信をサポートする周期性を伴って構成される。低レイテンシZP CSI-RSリソースはまた、低レイテンシCSI-RSおよびIMリソースをサポートするように構成され得る。場合によっては、他のUE(たとえば、レガシーUE)は、低レイテンシCSI-RSリソースに気づいていないことがあり、低レイテンシCSI-RSリソースの周囲でレートマッチングさせないことがある。場合によっては、UEが単一のロケーションまたはエリアの中にとどまる場合、チャネル条件の変化が最小であるので、低レイテンシCSI-RSリソースは、非低レイテンシCSI-RSと同じリソースを使用してよい。低レイテンシCSI-RSリソースが、非低レイテンシCSI-RSリソースと同じリソースを使用するとき、他のUE(たとえば、レガシーUE)は、はっきりとは非低レイテンシCSI-RSリソースの存在に気づかずに、低レイテンシCSI-RSリソースと非低レイテンシCSI-RSリソースの両方の周囲でレートマッチングさせてよい。
【０１２２】
場合によっては、隣接するセルの中でのスケジューリングによって引き起こされる短期のまたはバースト的な干渉を補償するために、低レイテンシIMリソースは、非低レイテンシIMリソースよりも大きい周期性を伴って構成されてよい。いくつかの例では、IMリソースは、sTTI230を使用する送信に基づく周期性を伴って構成される。いくつかの例では、低レイテンシIMリソースは、少なくとも部分的に非低レイテンシIMリソースと重複するように構成される。たとえば、低レイテンシIMリソースは、非低レイテンシZP CSI-RSを搬送するサブフレーム中に、非低レイテンシIMリソースと同じリソースを使用してよい。このようにして、これらのサブフレーム中、UE115-aに対するレートマッチングが容易にされ得る。いくつかの例では、低レイテンシIMリソースは、非低レイテンシIMリソースと位置合わせするために、シンボル期間5〜6、9〜10、または12〜13の間に構成される。いくつかの例では、低レイテンシIMリソースパターンは、非低レイテンシIMリソースパターンよりもリソース要素密度が小さい。そして場合によっては、低レイテンシIMリソースは、非低レイテンシIMリソースと同じリソースを使用する。
【０１２３】
いくつかの例では、低レイテンシCSI-RSおよび/またはIMリソースは、周期性に従って構成されないが、動的にスケジュールされsTTI230の中で(たとえば、DCIの中で)示される。場合によっては、低レイテンシCSI-RSおよび/またはIMリソースは、部分的または完全に非低レイテンシCSI-RSおよび/またはIMリソースと重複するようにスケジュールされる(たとえば、低レイテンシCSI-RSおよび/またはIMリソースが、非低レイテンシCSI-RSおよびIMリソースと同じであってよい)。たとえば、基地局105-aは、サブフレーム中に低レイテンシCSI-RSおよび/またはIMリソースの存在をDCIの中で示してよい。UE115-aは、CSIを決定するための低レイテンシCSI-RSおよび/またはIMリソースの存在を識別し得る。他のUEも、表示に基づいて低レイテンシCSI-RSおよび/またはIMリソースの存在を識別し得、それに応じてレートマッチングさせてよい。いくつかの例では、基地局105-aは、非低レイテンシCSI-RSおよびIMリソースと重複するように低レイテンシCSI-RSおよび/またはIMリソースをスケジュールする。たとえば、基地局105-aは、非低レイテンシCSI-RSを含むsTTI230の中に低レイテンシCSI-RSおよび/またはIMリソースをスケジュールしてよい。基地局105-aはまた、sTTI230中、非周期的なCSI報告をトリガしてよい。そして、UE115-aは低レイテンシCSI-RSおよびIMリソースに基づいてCSIを計算してよく、他のUEは低レイテンシCSI-RSおよびIMリソースの周囲でレートマッチングさせてよい。
【０１２４】
場合によっては、UE115-aは、低レイテンシCSI報告構成もしくは非低レイテンシCSI報告構成、またはその両方に対するCSIを算出し得る。場合によっては、UE115-aは、サイズ制限されたCSI-  非低レイテンシ報告に対するCSIよりも少ないデータを伝達するCSI-  、または低レイテンシCSI報告に対する部分的なCSIを算出してよい。たとえば、UE115-aは、非低レイテンシCQIに対するサブバンドサイズに比べて増大したサブバンドサイズに対する低レイテンシCQIを算出してよい。別の例では、UE115-aは、低レイテンシCSI報告に対して、いくつかの報告タイプを使用から除外してよく、またはいくつかの報告タイプのみを含めてよい。たとえば、UE115-aは、広帯域PMIおよび狭帯域PMIを報告する報告タイプを除外してよく、PMIを伴わない報告タイプ(たとえば、報告タイプ1-0、2-0、および3-0)、または単一の広帯域PMIを伴う報告タイプ(たとえば、報告タイプ1-1、2-1、3-1)をサポートしてよい。UE115-aはまた、低レイテンシCSI報告に対して制限付きのコードブックを利用してよい。
【０１２５】
場合によっては、UE115-aは、CSI処理タイムラインに基づいて、低レイテンシCSI報告に対するCSIを算出してよい。たとえば、UE115-aは、CSIを算出するために利用可能な時間量に基づいて、もっと大きいかまたはもっと小さいCSIを算出してよい。一例では、UE115-aは、最初のTTI225またはsTTI230(TTI nまたはsTTI n)の中で、低レイテンシCSIを報告するためのトリガを受信し得、アップリンクデータを伴う低レイテンシCSI報告を、PUSCHリソースを介して、後続するsTTI230(TTI n+4またはsTTI n+4)中に送信するようにスケジュールされてよい。UE115-aは、トリガを受信することと、スケジュールされたPUSCHリソースとの間の区間に基づいて、サイズ制限されたCSI報告を算出してよい。別の例では、UE115-aは、やはりアップリンクデータを送信するようにスケジュールされていない最初のTTI225またはsTTI230(TTI nまたはsTTI n)の中で、低レイテンシCSIを報告するためのトリガを受信し得る。UE115-aは、上記のように同じ区間に従って-  すなわち、TTI n+4中またはsTTI n+4中に- CSIを報告してよく、またはUE115-aは、もっと長い区間を使用して-  すなわち、TTI n+6中またはsTTI n+6中に- CSIを報告してよい。UE115-aは、sTTI中により多くのリソースが利用可能であること、および/またはTTI n+6もしくはsTTI n+6に関連するもっと長い処理時間に基づいて、アップリンクデータがCSIとともに送信されるときに生成されるCSIのサイズに比べて、もっと長いサイズのCSIを生成してよい。
【０１２６】
別の例では、UE115-aは、非対称のダウンリンクおよびアップリンクsTTI230が構成されるとき(たとえば、{2,7})、非低レイテンシCSIに対して完全またはほぼ完全なCSIを算出してよい。たとえば、アップリンクタイミングがアップリンクsTTI230長に基づく場合、UE115-aは、ダウンリンクsTTI230が2シンボル期間にわたりアップリンクsTTI230が7シンボル期間にわたる場合、ダウンリンクsTTI230が2シンボル期間にわたりアップリンクsTTI230が2シンボル期間にわたる場合よりも-  すなわち、ダウンリンクsTTI230と、より長いアップリンクsTTI230との間の、より長い処理時間に起因して-  大きいCSI報告(たとえば、完全な非低レイテンシCSI報告)を生成してよい。
【０１２７】
いくつかの場合には、低レイテンシCSI報告のレートは、周期的な低レイテンシCSI報告に対して構成された周期性に基づく-  たとえば、低レイテンシ通信をサポートするために周期性は大きくてよい。他の場合には、低レイテンシCSI報告のレートは、非周期的な低レイテンシCSI報告のトリガリングレートに基づいてよい-  たとえば、低レイテンシ通信をサポートするためにトリガリングは頻繁であってよい。CSI-RS/IMリソースベースの非周期的なCSI報告に対して、非周期的な低レイテンシCSI報告のトリガリングレートが、第1のトリガと第2のトリガとの間を測定するために新たな基準信号が利用可能でないときのCSI-RSおよびIMリソースの周期性よりも大きい場合、UE115-aはCSIを算出することを控えてよい。
【０１２８】
図3Aは、本開示の様々な態様による、ショートTTI用の例示的なCSI報告300-aを示す。CSI報告300-aは、図1〜図2を参照しながら上記で説明したような、UE115と基地局105との間の送信の態様を示してよい。CSI報告300-aは、基準sTTI305-aおよび325-aなどのsTTI基準リソース、基準TTI310-aおよび基準TTI330-aなどのTTI基準リソース、報告sTTI315-aおよび報告sTTI335-aなどのsTTI報告リソース、ならびに報告TTI320-aおよび報告TTI340-aなどのTTI報告リソースを含んでよい。CSI報告300-aはまた、sTTI周期性345-aおよびTTI周期性350-aを含んでよい。場合によっては、sTTI周期性345-aは、TTI周期性350-aよりも短い。いくつかの場合には、非低レイテンシ通信に対して第1の送信モードが構成され、低レイテンシ通信に対して第2の送信モードが構成される。他の場合には、非低レイテンシ通信と低レイテンシ通信の両方に対して同じ送信モードが構成される。
【０１２９】
sTTI基準リソースすなわち基準sTTIは、低レイテンシ通信に対するCSIを決定するために使用され得る。たとえば、UEは、sTTI用のトランスポートブロックサイズに基づいて、<0.1の確率誤差を与える最大のCQIインデックスに対応する変調方式およびトランスポートブロックサイズを決定し得る。基準sTTIは、たとえば、2シンボル期間から3シンボル期間まで、長さが変化してよい。いくつかの例では、基準sTTIは、提供される周期性およびオフセットに基づいて、UEに対して周期的に構成される。基準sTTIは、sTTI PDSCHリソースなどのダウンリンクリソースであってよい。
【０１３０】
TTI基準リソースすなわち基準TTIは、非低レイテンシ通信に対するCSIを決定するために使用され得る。たとえば、UEは、TTI用のトランスポートブロックサイズに基づいて、<0.1の確率誤差を与える最大のCQIインデックスに対応する変調方式およびトランスポートブロックサイズを決定し得る。基準TTIは、基準sTTIよりもサイズが大きくてよい-  たとえば、基準TTIは、14シンボル期間、すなわちサブフレームにわたってよい。けれども、場合によっては、基準sTTIも全サブフレームにわたってよい。いくつかの例では、基準TTIは、UE用の周期的に構成される報告リソースに対して識別される。基準TTIは、PDSCHリソースなどのダウンリンクリソースであってよい。
【０１３１】
sTTI報告リソースすなわち報告sTTIは、低レイテンシCSI報告の送信のために確保されてよい。報告sTTIは、提供された周期性およびオフセットに基づいて周期的にUEに対して構成され得る。報告sTTIは、sTTI PUSCHまたはPUCCHリソースなどのアップリンクリソースであってよい。報告sTTIは、1シンボル期間から7シンボル期間まで長さが変化してよい。場合によっては、低レイテンシCSI報告とともにアップリンクデータが送信されてよい。
【０１３２】
TTI報告リソースすなわち報告TTIは、非低レイテンシCSI報告の送信のために確保されてよい。報告TTIは、提供された周期性およびオフセットに基づいて周期的にUEに対して構成され得る。報告TTIは、PUSCHまたはPUCCHリソースなどのアップリンクリソースであってよい。場合によっては、非低レイテンシCSI報告とともにアップリンクデータが送信されてよい。
【０１３３】
一例では、UEは、sTTIに対する低レイテンシCSI報告構成およびTTIに対する非低レイテンシCSI報告構成を用いて構成され得る。低レイテンシCSI報告構成を使用する基地局は、UE用の低レイテンシCSI報告リソースを構成してよく、UEは、報告リソースに対して基準sTTI305-aおよび報告sTTI315-aなどのCSI基準リソースを識別し得る。場合によっては、低レイテンシCSI報告構成は、低レイテンシCSI報告リソースのロケーションを決定するためにUEが使用するsTTI周期性345-aおよびオフセットを、UEに提供する。オフセットは、サブフレームの中の最初のTTIまたはsTTIに対する、TTIまたはsTTIのロケーションをUEに示してよい。
【０１３４】
場合によっては、UEは、UE用に構成されたCSI報告リソースに基づいて基準sTTI305-aおよび基準sTTI325-aを識別し得る。UEは、基準sTTI305-aおよび325-aに基づいて低レイテンシCSI報告を生成してよい。いくつかの例では、基準sTTI305-aおよび325-aは全サブフレームにわたり、その場合、UEは、sTTIトランスポートブロックサイズ(たとえば、2または3シンボル期間)を使用して低レイテンシCSI報告を生成してよい。いくつかの例では、UEは、基準sTTI305-aがMBSFNサブフレーム、またはMBSFNサブフレーム内のsTTIであることを決定してよい。
【０１３５】
他の例では、基準sTTI305-aおよび325-aはsTTI(たとえば、2または3シンボル期間)にわたり、その場合、UEは、基準sTTIの長さに基づいて低レイテンシCSI報告を生成してよい。場合によっては、低レイテンシCSI報告は、タイミングおよび/またはリソース制約に対応するようにサイズ制限される。たとえば、低レイテンシCSI報告は、単一の広帯域PMIを含むかまたはPMIをまったく報告しないCSI報告タイプなどの、いくつかのCSI報告タイプに限定されてよい。別の事例では、低レイテンシCSI報告は、CQIがそれに対して報告される非低レイテンシCSI報告に比べて、サブバンドのサイズを増大させてよい。
【０１３６】
UEは、提供される周期性およびオフセットに基づいて報告sTTI315-aおよび335-aのロケーションを同様に決定してよい。UEは、報告sTTI315-aおよび335-aの間、低レイテンシCSI報告を基地局へ送信してよい。
【０１３７】
基地局はまた、UEに対して、基準TTI310-aおよび報告TTI320-aなどの非低レイテンシCSI報告リソースを構成してよい。場合によっては、低レイテンシCSI報告および非低レイテンシCSI報告構成は、別個のCSIプロセスとしてUEに対して構成される。いくつかの例では、低レイテンシCSI報告プロセスおよび非低レイテンシCSI報告プロセスは、固有にインデックスが付けられ、したがって、別々に更新され得る。たとえば、UE115は、(たとえば、低レイテンシCSIトリガが受信されると)最小のインデックスが付けられた低レイテンシCSIプロセスのうちのN個を更新してよく、ただし、N=max(Nx-Nu,0)であり、NCSI-Pはサポートされる低レイテンシCSIプロセスの最大数であり、Nuは報告されない低レイテンシCSIプロセスの数である。UEは、非低レイテンシCSIプロセスに割り当てられたインデックスが、最小のインデックスが付けられたN個の非低レイテンシCSIプロセスのうちの1つであるかどうかに基づいて、(たとえば、非低レイテンシCSIトリガが受信されると)非低レイテンシCSIプロセスに対するCSIを別個に更新してよく、ただし、N=max(Nx-Nu,0)であり、NCSI-Pはサポートされる非低レイテンシCSIプロセスの最大数であり、Nuは報告されない非低レイテンシCSIプロセスの数である。他の例では、低レイテンシCSI報告プロセスおよび非低レイテンシCSI報告プロセスは、共同してインデックスが付けられ、したがって、並行して更新され得る。
【０１３８】
UEは、TTI周期性350-aおよびオフセットに基づいて非低レイテンシCSI報告リソースのロケーションを決定してよい。場合によっては、UEは、基準TTI310-aおよび330-aがCSI基準リソースであること、ならびに報告TTI320-aおよび340-aがCSI報告リソースであることを決定してよい。UEは、基準TTI310-aおよび330-aに基づいてCSIを生成してよく、報告sTTI315-aおよび335-aの間にCSIを報告してよい。
【０１３９】
図3Bは、本開示の様々な態様による、ショートTTI用のCSI報告300-bの一例を示す。CSI報告300-bは、図1〜図2を参照しながら上記で説明したような、UE115と基地局105との間の送信の態様を示してよい。CSI報告300-bは、基準sTTI305-bおよび325-bなどのsTTI基準リソース、基準TTI310-bなどのTTI基準リソース、報告sTTI315-bなどのsTTI報告リソース、ならびに報告TTI320-bなどのTTI報告リソースを含んでよい。CSI報告300-bは、sTTIトリガ355-bおよびTTIトリガ360-bなどのCSI報告トリガも含んでよい。
【０１４０】
sTTI基準リソース、TTI基準リソース、sTTI報告リソース、およびTTI報告リソースは、図3Aを参照しながら説明したように、同じかまたは類似の能力を、sTTI基準リソース、TTI基準リソース、sTTI報告リソース、およびTTI報告リソースと共有し得る。
【０１４１】
一例では、UEは、たとえば、CSI報告トリガを受信することに基づいて、低レイテンシCSIを非周期的に報告するように構成され得る。UEはまた、非低レイテンシCSIを非周期的に報告するように構成され得る。いくつかの場合には、低レイテンシCSI報告構成および非低レイテンシCSI報告構成は別々にトリガされる。たとえば、sTTIトリガ355-bおよびTTIトリガ360-bなどの別個のトリガが、低レイテンシCSI報告構成および非低レイテンシCSI報告構成に対して規定され得る。または単一のトリガが、CSI構成のうちの一方に対するCSIが報告されることを要求するフィールドを含んでもよい。他の場合には、低レイテンシCSI報告構成および非低レイテンシCSI報告構成は、共同してトリガされる。たとえば、単一のトリガが、低レイテンシCSIと非低レイテンシCSIの両方をUEに報告させてよい。場合によっては、トリガは、CSI構成の両方に対するCSIが報告されることを要求するフィールドを含む。
【０１４２】
UEは、sTTIリソースの中でsTTIトリガ355-bを受信し得る。いくつかの場合には、UEはまた、sTTIトリガを搬送したsTTIリソースがCSI報告に対する基準sTTI325-bであることを識別し得る。他の場合には、UEは、基準sTTI305-bなどの以前のリソースがCSI報告に対する基準リソースであることを識別し得る。場合によっては、基準sTTI305-bおよび/または325-bは、全サブフレームにわたる。場合によっては、基準sTTI305-bおよび/または325-bは、MBSFNサブフレーム、またはMBSFNサブフレームの中のsTTIである。UEは、sTTIトリガ355-bを受信することに基づいて低レイテンシCSI報告を生成してよい。場合によっては、低レイテンシCSI報告のサイズは、タイミングおよび/またはリソース考慮事項に基づく。たとえば、トリガを受信することと、CSIを報告することとの間の時間が短い場合(たとえば、1ミリ秒未満)、低レイテンシCSI報告のサイズは非低レイテンシCSI報告に比べて低減され得る。別の事例では、CSI報告がアップリンクデータとともに送信されるべきである場合、低レイテンシCSI報告のサイズは非低レイテンシCSI報告に比べて低減され得る。場合によっては、CSI報告がアップリンクデータを伴わずに送信されるべきである場合、低レイテンシCSI報告のサイズは増大されてよく、または非低レイテンシCSI報告と同じであってよい。
【０１４３】
UEは、報告sTTI315-b中、低レイテンシCSI報告を報告してよい。いくつかの例では、報告sTTI315-bは2または3シンボル期間にわたる。他の例では、報告sTTI315-bは7シンボル期間にわたる。場合によっては、低レイテンシCSI報告は、報告sTTI315-bまたは335-bの長さに基づいて生成される。たとえば、報告sTTI315-bの長さが2または3シンボル期間である場合、低レイテンシCSI報告のサイズは低減され得る。別の事例では、報告sTTI315-bの長さが7シンボル期間である場合、低レイテンシCSI報告のサイズは完全なCSI報告であってよい-  たとえば、非低レイテンシCSI報告と同じサイズであってよい。
【０１４４】
UEはまた、TTIトリガ360-bを受信し得、非低レイテンシCSI報告を準備してよい。場合によっては、UEは、基準TTI310-bに基づいて非低レイテンシCSI報告を準備する。UEは、報告TTI320-bの中で非低レイテンシCSI報告を送信してよい。場合によっては、報告TTI320-bは、TTIトリガ360-bが受信されてから4ミリ秒後に出現する。
【０１４５】
図4は、本開示の様々な態様による、ショートTTI用のCSIを報告することをサポートする基準信号構成400の一例を示す。基準信号構成400はリソースブロック405を含んでよく、リソースブロック405は、制御リソース、データリソース、CRSリソース、CSI-RSリソース、およびIMリソースを含んでよい。基準信号構成400はまた、第1の低レイテンシIMリソース410-aおよび第2の低レイテンシIMリソース410-b、第1の低レイテンシCSI-RSリソース415-a、第2の低レイテンシCSI-RSリソース415-b、第3の低レイテンシCSI-RSリソース415-c、ならびに基準sTTI候補420-a〜420-cを含んでよい。
【０１４６】
リソースブロック405は、非低レイテンシリソースブロックとして構成され得る-  たとえば、リソースブロック405は、1ms TTIに対して構成されてよく、0から13までラベル付けされ得る14個のシンボル期間を含んでよい。リソースブロック405はまた、周波数領域において12本のサブキャリアにわたってよい。リソースブロックは、制御リソース、データリソース、CRSリソース、CSI-RSリソース、およびIMリソースを含んでよい。場合によっては、リソースブロック405のような、CRS、CSI-RS、および/またはIMリソースを搬送するリソースブロックが、非低レイテンシ通信をサポートするために周期的に(たとえば、5msごとに)送信されてよい。
【０１４７】
制御リソースは、送信電力制御(TPC：transmit power control)コマンドおよびリソースブロック割振り情報などの構成情報を伝達し得る。データリソースはユーザデータを伝達し得る。CRSリソースは共通基準信号を搬送してよく、共通基準信号は、チャネル推定値を決定する(たとえば、SNRを決定する)とともに干渉推定値を決定するために使用されてよく、CSI報告のために使用されてよい。CSI-RSリソースはCSI固有基準信号を搬送してよく、CSI固有基準信号も、チャネル推定値- CSI-RSが、通常はデータリソースによって占有されるリソースを占有するので、CSI-RSを使用するチャネル推定はデータ送信に対して確度がより高いチャネル推定値を提供し得る-  および干渉推定値を決定するために使用されてよく、CSI報告のために使用されてよい。場合によっては、CSI-RSリソースのうちの1つまたは複数は、ZP CSI-RSリソースとして構成され得る。UEは、ZP CSI-RSリソースとして構成されているリソース要素が、CSI報告以外の目的のために(たとえば、干渉測定のために)割り振られていることを決定し得、リソース要素の周囲で復号することおよびレートマッチングさせることを控えてよい。
【０１４８】
隣接する基地局によって引き起こされる干渉を測定するために、リソースブロック405中にIMリソースが指定されてよい。たとえば、基地局は、IMリソースとして指定されているリソースを介して信号を送信することを控えてよく、そのリソースを介してUEによって測定される信号は、近くの基地局からの干渉を表し得る。場合によっては、ZP CSI-RSリソースは、IMリソースをサポートするように構成される。たとえば、ZP CSI-RSリソースは、IMリソースとして指定されたリソースのうちの1つまたは複数の中に構成され得る。
【０１４９】
一例では、基地局は、低レイテンシCSI報告をサポートするように低レイテンシCSI-RSおよび/またはIMリソースを構成する。たとえば、基地局は、低レイテンシCSI報告をサポートするための追加の低レイテンシCSI-RSおよび/またはIMリソースを構成してよい。場合によっては、低レイテンシCSI-RSおよび/またはIMリソースは、短期の干渉(たとえば、1〜2シンボル期間持続する干渉)を補償するために、非低レイテンシCSI-RS/IMリソースよりも大きい周期性を伴って構成され得る。基地局はまた、低レイテンシNZP CSI-RS/IMリソースに基づいて追加の低レイテンシZP CSI-RSリソースを構成してよい。
【０１５０】
いくつかの例では、基地局は、図4に示す非低レイテンシCSI-RSおよびIMリソース構成に基づいて、低レイテンシCSI-RSリソース415および低レイテンシIMリソース410を構成する。いくつかの例では、基地局は、非低レイテンシCSI-RSリソースと重複するように低レイテンシCSI-RSリソースを構成する。たとえば、チャネルの短期の変化は、しばしば、UEが固定のままであるかまたは小さいエリア内にとどまるときに最小であるので、基地局は、非低レイテンシCSI-RSリソースと同じすべてのリソースを占有するように低レイテンシCSI-RSリソースを構成してよい。たとえば、基地局は、リソースブロック405の中の非低レイテンシCSI-RSリソースと同じリソースを使用するように低レイテンシCSI-RSリソース415を構成してよい。
【０１５１】
基地局はまた、非低レイテンシIMリソースと部分的に重複するように低レイテンシIMリソースを構成してよいが、隣接するセルからの干渉が急速に(たとえば、1〜2シンボル期間内に)変化することがあるので、非低レイテンシIMリソースと同じすべてのリソースを占有するように低レイテンシIMリソースを構成しなくてもよい。いくつかの例では、基地局は、リソースブロック405などの、非低レイテンシIMリソースを搬送するリソースブロックの中の、非低レイテンシIMリソースと同じリソースを使用するように、低レイテンシIMリソース410を構成してよい。1つまたは複数の非低レイテンシCSI-RSおよび/またはIMリソースと重複するように低レイテンシCSI-RSおよび/またはIMリソースをスケジュールすることによって、非低レイテンシUEは、それらの存在に気づいていない間、低レイテンシCSI-RSおよび/またはIMリソースの周囲でレートマッチングさせてよい。
【０１５２】
いくつかの例では、基地局は、低レイテンシCSI-RSおよび/またはIMリソースを動的にスケジュールしてよく、低レイテンシCSI-RSおよび/またはIMリソースのロケーションを示してよい。場合によっては、基地局は、制御リソースの中で送信され得るDCIの中で、低レイテンシCSI-RSおよび/またはIMリソースのロケーションを示してよい。上記のように、基地局が、リソースブロック405などの、非低レイテンシCSI-RSおよびIMリソースを伝達するリソースブロック中に低レイテンシCSI-RSおよび/またはIMリソースをスケジュールするとき、基地局は、非低レイテンシCSI-RSおよび/またはIMリソースと完全に重複するように低レイテンシCSI-RSリソース415および低レイテンシIMリソース410をスケジュールしてよい。
【０１５３】
いくつかの例では、基地局は、低レイテンシCSI-RSおよび/またはIMリソースを半永続的にスケジュールしてよい。たとえば、基地局は、後続のサブフレームの中での低レイテンシCSI-RSおよび/またはIMリソースのロケーションを示す周期性と一緒に、最初のサブフレームの中での低レイテンシCSI-RSおよび/またはIMリソースのロケーションを示してよい。場合によっては、基地局は、CSI-RSおよびIMリソースのロケーション、CSI-RSおよびIMリソースに対する周期性を、DCIの中で示してよい。基地局はまた、半永続的にスケジュールされたCSI-RSおよびIMリソースに対するアクティブ化または非アクティブ化メッセージを送ってよい。場合によっては、半永続的にスケジュールされたCSI-RSおよびIMリソースは、やはりDCIの中で示されてよい所定の時間が経過した後、非アクティブ化されてよい。UEは、半永続的なCSI-RSおよび/またはIMリソーストリガを受信することに基づいて、最初のサブフレームの中の低レイテンシCSI-RSおよび/またはIMリソースを識別し得、DCIの中で受信された周期性に基づいて、後続のサブフレームの中の後続の低レイテンシCSI-RSおよび/またはIMリソースを識別し得る。場合によっては、UEは、半永続的にスケジュールされた低レイテンシCSI-RSおよび/またはIMリソースを非アクティブ化するトリガが受信されるまで(たとえば、基地局から、または対応するタイマーが満了したことに基づいて)、後続の低レイテンシCSI-RSおよび/またはIMリソースを識別することを継続してよい。
【０１５４】
やはり説明したように、サブフレームに対して非低レイテンシCSI-RSおよび/またはIMリソースが構成されるとき、基地局は、低レイテンシCSI-RSおよび/またはIMリソースを非低レイテンシCSI-RSおよび/またはIMリソースにマッピングしてよい。基地局は、次いで、マッピングに基づいて1つまたは複数のsTTIを構成してよい。たとえば、基地局は、基準sTTI候補420-aおよび基準sTTI候補420-bを識別し得る。図4に示すように、基準sTTI候補420-aは2シンボル期間にわたり(たとえば、シンボル期間5および6をカバーし)、非低レイテンシCSI-RSおよびIMリソースのうちの1つまたは複数にマッピングされている第1の低レイテンシCSI-RSリソース415-aおよび低レイテンシIMリソース410-aを含む。基準sTTI候補420-bは、3シンボル期間にわたり(たとえば、シンボル期間8〜10をカバーし)、非低レイテンシCSI-RSおよびIMリソースのうちの1つまたは複数にマッピングされている第2の低レイテンシCSI-RSリソース415-bおよび第2の低レイテンシIMリソース410-bを含む。場合によっては、シンボル期間12および13をカバーする基準sTTI候補420-cは、第3の低レイテンシCSI-RSリソース415-cを含んでよいが、いかなる低レイテンシIMリソースも含まなくてよい。場合によっては、基準sTTI候補420-cは、CSI報告のための基準リソースとして構成または識別されなくてよい。
【０１５５】
図5は、本開示の様々な態様による、ショートTTI用のCSI報告に対するプロセスフロー500の一例を示す。プロセスフロー500は、図1〜図2を参照しながら上記で説明したUE115および基地局105の一例であってよいUE115-bおよび基地局105-bによって実行され得る。いくつかの例では、基地局105-bなどの基地局およびUE115-bなどのUEは、ロングTTI、ショートTTI、またはその両方に対して、CSIを構成および報告し得る。
【０１５６】
ステップ505において、基地局105-bは、UE115-bに対する1つまたは複数のCSI報告構成を識別し得る。いくつかの例では、基地局105-bは、低レイテンシCSI報告構成および非低レイテンシCSI報告構成を識別し得る。場合によっては、基地局105-bは、UE115-b用に構成された、低レイテンシCSI報告リソースに対する第1の周期性およびオフセット、ならびに低レイテンシCSI報告リソースに対する第2の周期性およびオフセットを決定し得る。
【０１５７】
ステップ510において、基地局105-bおよびUE115-bは、上位レイヤシグナリング(たとえば、RRCシグナリング)を交換し得る。たとえば、UE115-bは、ショートTTIを使用して通信するための能力を基地局105-bにシグナリングしてよく、基地局105-bは、CSI報告構成情報などの構成情報をUE115-bへ送ってよい。場合によっては、基地局105-bは、低レイテンシCSI報告に対する第1のRRC構成および非低レイテンシCSI報告に対する第2のRRC構成を、UE115-bとともに確立する。場合によっては、低レイテンシCSI報告構成は、低レイテンシCSIプロセスに対応し、非低レイテンシCSI報告構成は、別個のCSIプロセスに対応する。いくつかの例では、低レイテンシCSIプロセスは、非低レイテンシCSIプロセスとは別個のインデックスが割り当てられ、CSIトリガが受信されると非低レイテンシCSIプロセスとは独立して更新される。他の例では、低レイテンシCSIプロセスは、非低レイテンシプロセスからの共通のインデックスが割り当てられ、CSIトリガが受信されると並行して更新される。
【０１５８】
ステップ515において、基地局105-bは、UE115-b用のCSI報告リソースを構成し得る。場合によっては、基地局105-bは、第1の周期性およびオフセットに基づいて、UE115-b用の低レイテンシCSI報告リソースを構成し得る。基地局105-bはまた、CRSおよび低レイテンシCSI-RSなどの基準信号リソース、ならびに低レイテンシIMリソースを構成し得る。いくつかの場合には、基地局105-bは、別の周期性に従って低レイテンシ基準信号リソースおよびIMリソースをスケジュールする。他の場合には、基地局105-bは、低レイテンシ基準信号リソースおよびIMリソースを動的にスケジュールし、DCIの中で低レイテンシリソースの存在を示す。
【０１５９】
ステップ520において、UE115-bは、低レイテンシCSI報告構成および非低レイテンシCSI報告構成を識別し得る。場合によっては、CSI報告構成は、低レイテンシCSIリソースおよび非低レイテンシCSIリソースに対して、周期性およびオフセットなどのCSI報告構成情報を提供し得る。場合によっては、CSI報告構成は、非周期的なCSI報告が、CSI報告構成のうちの一方または両方に対して構成されることを示してよい。UE115-bはまた、低レイテンシCSI報告構成および非低レイテンシCSI報告構成が別個のプロセスとして規定されるかどうか、ならびにCSIプロセスが共同してトリガされるのかそれとも独立してトリガされるのかを、決定し得る。
【０１６０】
ステップ525において、UE115-bは、CSIを報告するためにどの報告構成がアクティブであるのかを決定し得る。たとえば、UE115-bは、低レイテンシCSI報告構成が可能にされていること、もしくは非低レイテンシCSI報告構成が可能にされていること、またはその両方を決定し得る。場合によっては、UE115-bは、低レイテンシCSI報告構成が第1のCSIプロセスに対応すること、および非低レイテンシCSI報告構成が第2のCSIプロセスに対応することを、決定し得る。
【０１６１】
ステップ530において、基地局105-bは、CSI報告トリガを送信し得る。場合によっては、基地局105-bは、CSIを報告するようにUE115-bを非周期的にスケジュールするために、CSI報告トリガを送信する。いくつかの例では、基地局105-bは、低レイテンシCSI報告と非低レイテンシCSI報告の両方をトリガする単一のトリガを送信する。場合によっては、トリガは、低レイテンシCSI報告(たとえば、00をシグナリングすることによって)もしくは非低レイテンシCSI報告(たとえば、01をシグナリングすることによって)、またはその両方(たとえば、10をシグナリングすることによって)を要求するフィールドを用いて構成される。他の例では、基地局105-bは、低レイテンシCSI報告に対する1つのトリガ、および非低レイテンシCSI報告に対する異なるトリガを送信する。
【０１６２】
ステップ535において、UE115-bは、CSI基準リソース、CSI報告リソース、およびCSI報告をサポートする基準信号(たとえば、CRS、CSI-RS)などの、CSI報告リソースを識別し得る。UE115-bはまた、近くの基地局からの干渉を測定するためのIMリソースを識別し得る。場合によっては、UE115-bは、受信された第1の周期性およびオフセット、ならびにCSI報告リソースのロケーションに対するCSI基準リソースに基づいて、CSI報告リソースを識別する。いくつかの例では、UE115-bは、受信されたトリガまたはスケジュールされた報告リソースに対するCSI報告リソースおよび基準リソースを識別し得る。たとえば、基準リソースは、トリガまたは報告リソースから4ミリ秒だけオフセットされてよく、基準リソースは、トリガがその中で受信されたTTIまたはsTTIの中に含まれてよい。または基準リソースは、いくつかの数のsTTIまたはTTI、すなわちnCQIだけ、スケジュールされた報告リソース、すなわちnCSIに先行してよい。
【０１６３】
ステップ540において、UE115-bはまた、知られている基準信号パターンに基づいて、CSI報告をサポートする1つまたは複数の基準信号リソースを識別し得る。場合によっては、UE115-bは、いくつかの送信モード(たとえば、TM9、TM10、またはFD-MIMO TM)に対してCSI報告用のCSI-RSおよびIMリソースのみを識別する。いくつかの場合には、UE115-bは、それら自体の周期性およびオフセットを伴う低レイテンシ基準信号リソースがsTTI通信のために構成されていることを決定し得る。他の場合には、UE115-bは、低レイテンシ基準信号リソースが非低レイテンシ基準信号リソースと重複することを決定し得る。たとえば、sTTIが、非低レイテンシIMリソースを搬送するために本来ならスケジュールされるシンボル期間をカバーするとき、UE115-bは、低レイテンシCSI-RSリソースが非低レイテンシCSI-RSリソースと同じであること、および低レイテンシIMリソースが非低レイテンシIMリソースと同じであることを、決定し得る。場合によっては、UE115-bは、sTTIが低レイテンシCSI-RSおよびIMリソースを含むという表示を受信することに基づいて、1つまたは複数の基準信号リソースを識別し得る。いくつかの例では、sTTIが非低レイテンシCSI-RSおよびIMリソースをカバーするとき、示された低レイテンシCSI-RSおよび/またはIMリソースは、非低レイテンシCSI-RSおよび/またはIMリソースにマッピングされてよい。
【０１６４】
ステップ545において、UE115-bは、識別されたCSI基準リソースおよび/または識別されたCSI-RS/IMリソースに基づいて、CSI報告を生成し得る。場合によっては、UE115-bは、非低レイテンシCSI報告に対して生成されるCSI報告に比べてサイズが低減されたCSI報告を、低レイテンシCSI報告に対して生成する。UE115-bは、非低レイテンシCSI報告に対するよりも少数のサブバンドに対して、CSIを報告することによって、たとえば、もっと広いサブバンドに対して報告することによって、低減された低レイテンシCSI報告を生成し得る。UE115-bはまた、CSI報告をいくつかのタイプに限定することによって、低減された低レイテンシCSI報告を生成し得る。たとえば、UE115-bは、広帯域PMIと狭帯域PMIの両方を含むCSI報告を除外してよい。またはUE115-bは、低減された低レイテンシCSI報告を生成するとき、制限付きのPMIコードブックを使用してもよい。
【０１６５】
場合によっては、UE115-bは、CSI報告とともに送信されるようにアップリンクデータがスケジュールされるかどうかに基づいて、低レイテンシCSI報告を生成し得る。たとえば、非周期的なCSI報告に対して、アップリンクデータを伴うCSIを報告するように低レイテンシCSI報告がスケジュールされる場合、UE115-bは、上記で説明したように、サイズが低減された低レイテンシCSI報告を生成し得る。しかし、アップリンクデータを伴わないCSIを報告するように低レイテンシCSI報告がスケジュールされる場合、UE115-bは、たとえば、サイズが低減された低レイテンシCSI報告に比べてもっと大きいか、または非低レイテンシCSI報告と同じサイズの、サイズがもっと大きい低レイテンシCSI報告を生成し得る。いくつかの例では、非周期的なトリガから時間オフセットされている低レイテンシCSI報告リソース中に送信されるように、低レイテンシCSI報告リソースがスケジュールされる。場合によっては、UE115-bは、もっと長い量だけ時間がオフセットする場合、サイズがもっと大きい低レイテンシCSI報告を生成する。UE115-bはまた、低レイテンシCSIを報告するために使用されるダウンリンクsTTIとアップリンクsTTIとの間にサイズ不均衡がある場合、サイズがもっと大きい低レイテンシCSI報告を生成し得る。
【０１６６】
ステップ550において、UE115-bは、CSI報告を基地局105-bへ送信してよく、基地局105-bは、CSI報告を受信し得る。場合によっては、UE115-bは、決定された低レイテンシCSI報告リソース中に低レイテンシCSI報告を送信してよい。
【０１６７】
図6は、本開示の態様による、ショートTTI用のCSI報告をサポートするワイヤレスデバイス605のブロック図600を示す。ワイヤレスデバイス605は、本明細書で説明するようなユーザ機器(UE)115の態様の一例であってよい。ワイヤレスデバイス605は、受信機610、UE通信マネージャ615、および送信機620を含んでよい。ワイヤレスデバイス605はまた、プロセッサを含んでよい。これらの構成要素の各々は、(たとえば、1つまたは複数のバスを介して)互いに通信していてよい。
【０１６８】
受信機610は、パケット、ユーザデータ、または様々な情報チャネル(たとえば、制御チャネル、データチャネル、およびショートTTI用のCSI報告に関係する情報など)に関連する制御情報などの、情報を受信し得る。情報はデバイスの他の構成要素に渡されてよい。受信機610は、図8を参照しながら説明するトランシーバ835の態様の一例であってよい。受信機610は、単一のアンテナまたは1組のアンテナを利用し得る。
【０１６９】
受信機610は、第3の持続時間の第1のダウンリンクリソースを介して第1のダウンリンク送信を受信し得、第3の持続時間の第2のダウンリンクリソースを介して第2のダウンリンク送信を受信し得、第3の持続時間のダウンリンクリソースのセットを介してダウンリンク送信のセットを受信し得、ここで、ダウンリンク送信のセットは、第4の持続時間のアップリンク送信に関連する。
【０１７０】
UE通信マネージャ615は、図8を参照しながら説明するUE通信マネージャ815の態様の一例であってよい。UE通信マネージャ615、および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１７１】
UE通信マネージャ615、および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置されてよい。いくつかの例では、UE通信マネージャ615、および/またはその様々な副構成要素のうちの少なくともいくつかは、本開示の様々な態様による別個の異なる構成要素であってよい。他の例では、UE通信マネージャ615、および/またはその様々な副構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１７２】
UE通信マネージャ615は、第1の持続時間のTTIに関連する第1のCSI報告構成を識別し得、第1の持続時間よりも短い第2の持続時間のTTIに関連する第2のCSI報告構成を識別し得、第1のCSI報告構成もしくは第2のCSI報告構成、またはその両方に対して、CSIを報告すべきかどうかを決定し得る。
【０１７３】
送信機620は、デバイスの他の構成要素によって生成された信号を送信し得る。いくつかの例では、送信機620は、トランシーバモジュールの中で受信機610と一緒に置かれてよい。たとえば、送信機620は、図8を参照しながら説明するトランシーバ835の態様の一例であってよい。送信機620は、単一のアンテナまたは1組のアンテナを利用し得る。送信機620は、決定に従ってCSI報告を送信し得る。場合によっては、CSI報告およびデータは、第1の区間に従って送信される。場合によっては、CSI報告は、第1の区間と同じ長さであるかまたはそれよりも長い第2の区間に従って送信される。
【０１７４】
図7は、本開示の態様による、ショートTTI用のCSI報告をサポートするワイヤレスデバイス705のブロック図700を示す。ワイヤレスデバイス705は、図6を参照しながら説明したようなワイヤレスデバイス605またはUE115の態様の一例であってよい。ワイヤレスデバイス705は、受信機710、UE通信マネージャ715、および送信機740を含んでよい。ワイヤレスデバイス705はまた、プロセッサを含んでよい。これらの構成要素の各々は、(たとえば、1つまたは複数のバスを介して)互いに通信していてよい。
【０１７５】
受信機710は、パケット、ユーザデータ、または様々な情報チャネル(たとえば、制御チャネル、データチャネル、およびショートTTI用のCSI報告に関係する情報など)に関連する制御情報などの、情報を受信し得る。情報はデバイスの他の構成要素に渡されてよい。受信機710は、図8を参照しながら説明するトランシーバ835の態様の一例であってよい。受信機710は、単一のアンテナまたは1組のアンテナを利用し得る。
【０１７６】
UE通信マネージャ715は、図8を参照しながら説明するUE通信マネージャ815の態様の一例であってよい。UE通信マネージャ715は、CSIマネージャ720、CSIレポータ725、CSIリソース識別器730、およびCSI生成器735を含んでよい。これらのモジュールの各々は、直接または間接的に(たとえば、1つまたは複数のバスを介して)互いに通信し得る。
【０１７７】
CSIマネージャ720は、第1の持続時間のTTIに関連する第1のCSI報告構成、および第1の持続時間よりも短い第2の持続時間のTTIに関連する第2のCSI報告構成を識別し得る。CSIリソース識別器730は、CSIを決定するための少なくとも1つの基準リソースを、第1の持続時間のTTIまたは第2の持続時間のTTIのいずれかから識別し得る。CSIレポータ725は、第1のCSI報告構成もしくは第2のCSI報告構成、またはその両方に対して、CSIを報告すべきかどうかを決定し得る。そして、送信機740は、決定に従ってCSI報告を送信し得る。
【０１７８】
CSIマネージャ720は、第1の持続時間の第1のTTI中に、CSI報告を求める要求を受信し得、ここで、要求は、報告リソースをスケジュールし得、CSIリソース識別器730は、第1の持続時間の第2のTTIを識別することによって、少なくとも1つの基準リソースを識別し得る。場合によっては、CSIリソース識別器730は、第2のCSI報告構成に対してCSIを報告すべきと決定することに基づいて第1の持続時間の第2のTTIを識別し、ここで、第2のTTIは、報告リソースに対して識別される。場合によっては、CSIリソース識別器730は、第2の持続時間の第2のTTIを識別することによって、少なくとも1つの基準リソースを識別し得る。CSIリソース識別器730は、第2のCSI報告構成に対してCSIを報告すべきと決定することに少なくとも部分的に基づいて第2の持続時間の第2のTTIを識別し得、ここで、第2のTTIは、少なくとも1つの基準リソースを含むとともに第1のTTI中に出現する。CSIマネージャ720はまた、第1の持続時間の第1のTTI中に、CSI報告を求める要求を受信し得、CSIリソース識別器730は、第2のCSI報告構成に対してCSIを報告すべきと決定することに基づいて第2の持続時間の第2のTTIを識別することによって、少なくとも1つの基準リソースを識別し得、ここで、第2のTTIは、少なくとも1つの基準リソースを含むとともに時間的に第1のTTIの前に出現する。場合によっては、CSIマネージャ720は、ダウンリンク送信のセットの1つのダウンリンク送信の中で、CSI報告を求める要求を識別する。
【０１７９】
CSIマネージャ720はまた、第1のCSIプロセスを第1のCSI報告構成に、また第2のCSIプロセスを第2のCSI報告構成に関連付け得る。場合によっては、要求は、第1のTTI中に出現する、第2の持続時間の第3のTTIの中で受信される。場合によっては、第1のCSIプロセスは、第2のCSIプロセスとは独立して動作させられる。場合によっては、第1のCSI報告構成に対する第1のCSIプロセスは、第2のCSI報告構成に対する第2のCSIプロセスとは独立してトリガされる。場合によっては、第1のCSI報告構成に対する第1のCSIプロセスは、第1の周期性および第1のオフセットに関連し、ここで、第2のCSI報告構成に対する第2のCSIプロセスは、第2の周期性および第2のオフセットに関連する。場合によっては、第1のCSIプロセスは、第2のCSIプロセスと共同して動作させられる。
【０１８０】
CSIリソース識別器730はまた、第2のCSI報告構成に対してCSIを報告すべきと決定することに基づいて第1の持続時間のTTIを識別することによって、少なくとも1つの基準リソースを識別し得、ここで、TTIは、少なくとも1つの基準リソースを含む。場合によっては、CSIリソース識別器730は、第1の周期性、第2の周期性、第1のオフセット、および第2のオフセットを含む構成情報を受信し得、第1の周期性および第1のオフセットに基づいて、第1の持続時間のTTIの第1のセットを第1のCSI報告構成に対して識別することによって、少なくとも1つの基準リソースを識別し得る。場合によっては、CSIリソース識別器730は、第2のCSI報告構成に対してCSIを報告すべきと決定することに基づいてMBSFNサブフレームを識別することによって、少なくとも1つの基準リソースを識別し得、ここで、MBSFNサブフレームは少なくとも1つの基準リソースを含む。CSIリソース識別器730は、時間的にMBSFNサブフレームの前にあるTTI中に基準信号の第2のセットを識別し得、CSI生成器735は、基準信号の第2のセットに基づいて第2のCSI報告構成に対するCSIを生成し得る。場合によっては、基準信号の第2のセットは、MBSFNサブフレームに対して所定の時間期間内に位置し、所定の時間期間は、第2の持続時間のTTIに少なくとも部分的に基づく。CSIリソース識別器730はまた、第2の周期性および第2のオフセットに基づいて、第1の持続時間のTTIの第2のセットを第2のCSI報告構成に対して識別し得る。
【０１８１】
CSIリソース識別器730はまた、第1のCSI報告構成に対して第1のNZP基準信号リソースおよび第1の干渉測定(IM)リソースの第1のパターンを識別し得、ここで、第1のパターンは、第1の周期性および第1のオフセットに関連する。CSIリソース識別器730はまた、第2のCSI報告構成に対して第2のNZP基準信号リソースおよび第2のIMリソースの第2のパターンを決定し得、ここで、第2のパターンは、第2の周期性および第2のオフセットに関連する。場合によっては、第2の周期性は第1の周期性よりも大きい。場合によっては、第1のIMリソースは第2のIMリソースと重複する。CSIリソース識別器730はまた、第1のパターンに基づいてゼロ電力(ZP)基準信号リソースの第3のパターンを決定し得る。場合によっては、第2の持続時間のTTIは、第1のNZP基準信号リソースのサブセットの1つまたは複数のNZP基準信号リソース、および第1のIMリソースのサブセットの1つまたは複数のIMリソースを備える。場合によっては、第2の報告構成に対する1つまたは複数のNZP基準信号リソースは、第1のNZP基準信号リソースのサブセットの1つまたは複数のNZP基準信号リソースと重複する。そして、場合によっては、第2のCSI報告構成に対する1つまたは複数のIMリソースは、第1のIMリソースのサブセットの1つまたは複数のIMリソースと重複する。
【０１８２】
場合によっては、第1のNZP基準信号リソースは、第2のNZP基準信号リソースと重複する。場合によっては、第2のパターンのリソース要素密度は第1のパターンのリソース要素密度よりも小さい。場合によっては、CSIリソース識別器730は、第1の持続時間のTTIの中で、第2のCSI報告構成に対する1つまたは複数のNZP基準信号リソースおよび1つまたは複数のIMリソースの存在の表示を受信し得、ここで、第1の持続時間のTTIは、第1のパターンの第1のNZP基準信号リソースおよび第1のIMリソースのサブセットを含む。場合によっては、第2の持続時間のTTIは、サブセットの第1のNZP基準信号リソースおよび第1のIMリソースのうちの1つまたは複数を含み、第2のCSI報告構成に対する1つまたは複数のNZP基準信号リソースおよび1つまたは複数のIMリソースは、サブセットの1つまたは複数の第1のNZP基準信号リソースおよび第1のIMリソースと重複する。
【０１８３】
CSIリソース識別器730は、第3の持続時間のアップリンクリソースを識別し得る。場合によっては、CSIリソース識別器730はまた、第3の持続時間よりも長い第4の持続時間のアップリンクリソースを識別し得る。
【０１８４】
CSI生成器735は、第2の持続時間に基づいて第2のCSI報告構成に対するCSIを生成し得、ここで、CSI報告は、第2のCSI報告構成に従って生成されたCSIを含む。CSI生成器735はまた、第2のCSI報告構成に対して、第1のサイズよりも大きい第2のサイズのCSIを生成し得、第1のCSIプロセスに対する第1のCSI報告もしくは第2のCSIプロセスに対する第2のCSI報告、またはその両方を生成し得、ここで、CSI報告は、第1のCSI報告もしくは第2のCSI報告、またはその両方を含む。CSI生成器735はまた、第1のCSI報告構成に対する第1のCSIおよび第2のCSI報告構成に対する第2のCSIを生成し得、ここで、第1のCSIのサイズは第2のCSIのサイズよりも大きい。CSI生成器735はまた、第1のCSIもしくは第2のCSI、またはその両方を含むCSI報告を生成し得る。CSI生成器735はまた、制御領域の中の基準信号の第1のセットに基づいて第2のCSI報告構成に対するCSIを生成し得、ここで、MBSFNサブフレームは、基準信号の第1のセットを有する制御領域および基準信号がないデータ領域を含む。
【０１８５】
場合によっては、第1のCSIを生成することは、報告モードのセットのうちの1つに従って第1のCSIを決定することを含み、第2のCSIを生成することは、報告モードのセットのサブセットに従って第2のCSIを決定することを含む。CSI生成器735はまた、CSI報告を伴う送信用のアップリンクデータを受信し得、ここで、第2のCSI報告構成に対する第2のサイズの第2のCSIが、アップリンクデータに基づいて生成される。
【０１８６】
CSI生成器735はまた、送信用のアップリンクデータがないことに基づいて第2のCSI報告構成に対する第3のCSIを生成し得、ここで、第3のCSIのサイズは第2のCSIのサイズと同じであるかまたはそれよりも大きい。CSI生成器735は、第2のCSI報告構成に対する第1のサイズのCSIを生成し得、第1のCSIを生成することは、第1のサイズの少なくとも1つのサブバンドに対して第1のCQIを決定することを含み、ここで、第2のCSIを生成することは、第1のサイズよりも大きい第2のサイズの少なくとも1つのサブバンドに対して第2のCQIを決定することを含む。
【０１８７】
送信機740は、デバイスの他の構成要素によって生成された信号を送信し得る。いくつかの例では、送信機740は、トランシーバモジュールの中で受信機710と一緒に置かれてよい。たとえば、送信機740は、図8を参照しながら説明するトランシーバ835の態様の一例であってよい。送信機740は、単一のアンテナまたは1組のアンテナを利用し得る。
【０１８８】
図8は、本開示の態様による、ショートTTI用のCSI報告をサポートするデバイス805を含むシステム800のブロック図を示す。デバイス805は、たとえば、図6および図7を参照しながら上記で説明したような、ワイヤレスデバイス605、ワイヤレスデバイス705、またはUE115の構成要素の一例であってよく、またはそれらを含んでもよい。デバイス805は、UE通信マネージャ815、プロセッサ820、メモリ825、ソフトウェア830、トランシーバ835、アンテナ840、およびI/Oコントローラ845を含む、通信を送信および受信するための構成要素を含む双方向音声およびデータ通信のための構成要素を含んでよい。これらの構成要素は、1つまたは複数のバス(たとえば、バス810)を介して電子通信していてよい。デバイス805は、1つまたは複数の基地局105とワイヤレス通信し得る。
【０１８９】
プロセッサ820は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ820は、メモリコントローラを使用してメモリアレイを動作させるように構成され得る。他の場合には、メモリコントローラは、プロセッサ820の中に統合されてよい。プロセッサ820は、様々な機能(たとえば、ショートTTI用のCSI報告をサポートする機能またはタスク)を実行するための、メモリの中に記憶されたコンピュータ可読命令を実行するように構成され得る。
【０１９０】
メモリ825は、ランダムアクセスメモリ(RAM)および読取り専用メモリ(ROM)を含んでよい。メモリ825は、実行されたとき、本明細書で説明する様々な機能をプロセッサに実行させる命令を含む、コンピュータ可読コンピュータ実行可能ソフトウェア830を記憶し得る。場合によっては、メモリ825は、特に、周辺構成要素または周辺デバイスとの相互作用などの基本的なハードウェア動作またはソフトウェア動作を制御し得る基本入出力システム(BIOS)を含んでよい。
【０１９１】
ソフトウェア830は、ショートTTI用のCSI報告をサポートするためのコードを含む、本開示の態様を実施するためのコードを含んでよい。ソフトウェア830は、システムメモリまたは他のメモリなどの非一時的コンピュータ可読媒体の中に記憶され得る。場合によっては、ソフトウェア830は、プロセッサによって直接実行可能でない場合があるが、(たとえば、コンパイルおよび実行されたとき)本明細書で説明する機能をコンピュータに実行させてよい。
【０１９２】
トランシーバ835は、上記で説明したように、1つまたは複数のアンテナ、有線リンク、またはワイヤレスリンクを介して双方向に通信し得る。たとえば、トランシーバ835は、ワイヤレストランシーバを表してよく、別のワイヤレストランシーバと双方向に通信し得る。トランシーバ835はまた、送信のためにパケットを変調するとともに被変調パケットをアンテナに提供し、かつアンテナから受信されたパケットを復調するための、モデムを含んでよい。
【０１９３】
場合によっては、ワイヤレスデバイスは、単一のアンテナ840を含んでよい。しかしながら、場合によっては、デバイスは、複数のワイヤレス送信を並行して送信または受信することが可能であり得る2つ以上のアンテナ840を有してよい。
【０１９４】
I/Oコントローラ845は、デバイス805のための入力信号および出力信号を管理し得る。I/Oコントローラ845はまた、デバイス805の中に統合されていない周辺機器を管理し得る。場合によっては、I/Oコントローラ845は、外部周辺機器への物理接続またはポートを表してよい。いくつかの場合には、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ845は、モデム、キーボード、マウス、タッチスクリーン、または類似のデバイスを表してよく、またはそれらと相互作用し得る。場合によっては、I/Oコントローラ845は、プロセッサの一部として実装され得る。場合によっては、ユーザは、I/Oコントローラ845を介して、またはI/Oコントローラ845によって制御されるハードウェア構成要素を介して、デバイス805と対話し得る。
【０１９５】
図9は、本開示の態様による、ショートTTI用のCSI報告をサポートするワイヤレスデバイス905のブロック図900を示す。ワイヤレスデバイス905は、本明細書で説明するような基地局105の態様の一例であってよい。ワイヤレスデバイス905は、受信機910、基地局通信マネージャ915、および送信機920を含んでよい。ワイヤレスデバイス905はまた、プロセッサを含んでよい。これらの構成要素の各々は、(たとえば、1つまたは複数のバスを介して)互いに通信していてよい。
【０１９６】
受信機910は、パケット、ユーザデータ、または様々な情報チャネル(たとえば、制御チャネル、データチャネル、およびショートTTI用のCSI報告に関係する情報など)に関連する制御情報などの、情報を受信し得る。情報はデバイスの他の構成要素に渡されてよい。受信機910は、図11を参照しながら説明するトランシーバ1135の態様の一例であってよい。受信機910は、単一のアンテナまたは1組のアンテナを利用し得る。
【０１９７】
基地局通信マネージャ915は、図11を参照しながら説明する基地局通信マネージャ1115の態様の一例であってよい。基地局通信マネージャ915、および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ915、および/またはその様々な副構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１９８】
基地局通信マネージャ915、および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置されてよい。いくつかの例では、基地局通信マネージャ915、および/またはその様々な副構成要素のうちの少なくともいくつかは、本開示の様々な態様による別個の異なる構成要素であってよい。他の例では、基地局通信マネージャ915、および/またはその様々な副構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１９９】
基地局通信マネージャ915は、第1の持続時間のTTIに関連する第1のCSI報告構成を識別し得、第1の持続時間よりも短い第2の持続時間のTTIに関連する第2のCSI報告構成を識別し得、第1のCSI報告構成もしくは第2のCSI報告構成、またはその両方に対して、CSIを報告するようにワイヤレスデバイスを構成し得る。
【０２００】
送信機920は、デバイスの他の構成要素によって生成された信号を送信し得る。いくつかの例では、送信機920は、トランシーバモジュールの中で受信機910と一緒に置かれてよい。たとえば、送信機920は、図11を参照しながら説明するトランシーバ1135の態様の一例であってよい。送信機920は、単一のアンテナまたは1組のアンテナを利用し得る。
【０２０１】
送信機920は、決定に従ってCSI報告を送信し得る。
【０２０２】
図10は、本開示の態様による、ショートTTI用のCSI報告をサポートするワイヤレスデバイス1005のブロック図1000を示す。ワイヤレスデバイス1005は、図9を参照しながら説明したようなワイヤレスデバイス905または基地局105の態様の一例であってよい。ワイヤレスデバイス1005は、受信機1010、基地局通信マネージャ1015、および送信機1020を含んでよい。ワイヤレスデバイス1005はまた、プロセッサを含んでよい。これらの構成要素の各々は、(たとえば、1つまたは複数のバスを介して)互いに通信していてよい。
【０２０３】
受信機1010は、パケット、ユーザデータ、または様々な情報チャネル(たとえば、制御チャネル、データチャネル、およびショートTTI用のCSI報告に関係する情報など)に関連する制御情報などの、情報を受信し得る。情報はデバイスの他の構成要素に渡されてよい。受信機1010は、図11を参照しながら説明するトランシーバ1135の態様の一例であってよい。受信機1010は、単一のアンテナまたは1組のアンテナを利用し得る。
【０２０４】
基地局通信マネージャ1015は、図11を参照しながら説明する基地局通信マネージャ1115の態様の一例であってよい。基地局通信マネージャ1015はまた、CSIマネージャ1025、CSIレポータ1030、CSIリソーススケジューラ1035、およびCSIリソースマッパ1040を含んでよい。
【０２０５】
CSIマネージャ1025は、第1の持続時間のTTIに関連する第1のCSI報告構成を識別し得、第1の持続時間よりも短い第2の持続時間のTTIに関連する第2のCSI報告構成を識別し得る。
【０２０６】
CSIレポータ1030は、第1のCSI報告構成もしくは第2のCSI報告構成、またはその両方に対して、CSIを報告するようにワイヤレスデバイスを構成し得る。
【０２０７】
CSIリソーススケジューラ1035は、第1のCSI報告構成に対するCSI報告に対する第1の周期性および第1のオフセット、ならびに第2のCSI報告構成に対するCSI報告に対する第2の周期性および第2のオフセットを決定し得る。場合によっては、第2の持続時間のCSI報告リソースは、第2の周期性および第2のオフセットに従ってスケジュールされる。場合によっては、CSIリソーススケジューラ1035は、第1および/または第2のCSI報告構成に対するCSIリソースを非周期的にスケジュールする。
【０２０８】
CSIリソースマッパ1040は、第2のCSI報告構成に対するCSIリソースをマッピングし得る。場合によっては、CSIリソースマッパ1040は、第1のCSI基準信号リソースを第1のCSI報告構成に対する第1のパターンにマッピングし、第2のCSI基準信号リソースを第2のCSI報告構成に対する第2のパターンにマッピングする。場合によっては、CSI-RSおよび/またはIMリソースであってよい第2のCSI基準信号リソースは、第1のCSI基準信号リソースと部分的または完全に重複する。場合によっては、第1のCSI基準信号リソースがNZP CSI-RSおよび/またはIMリソースを備えるとき、CSIリソースマッパ1040は、第1のCSI基準信号リソースと完全に重複するように第2のCSI基準信号リソースをマッピングする。場合によっては、CSIリソーススケジューラ1035は、第1のCSI基準信号リソースと重複している第2のCSI基準信号リソースを備える、第2の持続時間のTTIをスケジュールする。
【０２０９】
送信機1020は、デバイスの他の構成要素によって生成された信号を送信し得る。いくつかの例では、送信機1020は、トランシーバモジュールの中で受信機1010と一緒に置かれてよい。たとえば、送信機1020は、図11を参照しながら説明するトランシーバ1135の態様の一例であってよい。送信機1020は、単一のアンテナまたは1組のアンテナを利用し得る。
【０２１０】
図11は、本開示の態様による、ショートTTI用のCSI報告をサポートするデバイス1105を含むシステム1100のブロック図を示す。デバイス1105は、たとえば、図1を参照しながら上記で説明したような、基地局105の構成要素の一例であってよく、またはそれらを含んでもよい。デバイス1105は、基地局通信マネージャ1115、プロセッサ1120、メモリ1125、ソフトウェア1130、トランシーバ1135、アンテナ1140、ネットワーク通信マネージャ1145、および局間通信マネージャ1150を含む、通信を送信および受信するための構成要素を含む双方向音声およびデータ通信のための構成要素を含んでよい。これらの構成要素は、1つまたは複数のバス(たとえば、バス1110)を介して電子通信していてよい。デバイス1105は、1つまたは複数のUE115とワイヤレス通信し得る。
【０２１１】
プロセッサ1120は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1120は、メモリコントローラを使用してメモリアレイを動作させるように構成され得る。他の場合には、メモリコントローラは、プロセッサ1120の中に統合されてよい。プロセッサ1120は、様々な機能(たとえば、ショートTTI用のCSI報告をサポートする機能またはタスク)を実行するための、メモリの中に記憶されたコンピュータ可読命令を実行するように構成され得る。
【０２１２】
メモリ1125は、RAMおよびROMを含んでよい。メモリ1125は、実行されたとき、本明細書で説明する様々な機能をプロセッサに実行させる命令を含む、コンピュータ可読コンピュータ実行可能ソフトウェア1130を記憶し得る。場合によっては、メモリ1125は、特に、周辺構成要素または周辺デバイスとの相互作用などの基本的なハードウェア動作またはソフトウェア動作を制御し得るBIOSを含んでよい。
【０２１３】
ソフトウェア1130は、ショートTTI用のCSI報告をサポートするためのコードを含む、本開示の態様を実施するためのコードを含んでよい。ソフトウェア1130は、システムメモリまたは他のメモリなどの非一時的コンピュータ可読媒体の中に記憶され得る。場合によっては、ソフトウェア1130は、プロセッサによって直接実行可能でない場合があるが、(たとえば、コンパイルおよび実行されたとき)本明細書で説明する機能をコンピュータに実行させてよい。
【０２１４】
トランシーバ1135は、上記で説明したように、1つまたは複数のアンテナ、有線リンク、またはワイヤレスリンクを介して双方向に通信し得る。たとえば、トランシーバ1135は、ワイヤレストランシーバを表してよく、別のワイヤレストランシーバと双方向に通信し得る。トランシーバ1135はまた、送信のためにパケットを変調するとともに被変調パケットをアンテナに提供し、かつアンテナから受信されたパケットを復調するための、モデムを含んでよい。
【０２１５】
場合によっては、ワイヤレスデバイスは、単一のアンテナ1140を含んでよい。しかしながら、場合によっては、デバイスは、複数のワイヤレス送信を並行して送信または受信することが可能であり得る2つ以上のアンテナ1140を有してよい。
【０２１６】
ネットワーク通信マネージャ1145は、(たとえば、1つまたは複数の有線バックホールリンクを介した)コアネットワークとの通信を管理し得る。たとえば、ネットワーク通信マネージャ1145は、1つまたは複数のUE115などのクライアントデバイスのためのデータ通信の転送を管理し得る。
【０２１７】
局間通信マネージャ1150は、他の基地局105との通信を管理し得、他の基地局105と協働してUE115との通信を制御するためのコントローラまたはスケジューラを含んでよい。たとえば、局間通信マネージャ1150は、ビームフォーミングまたはジョイント送信などの様々な干渉緩和技法のために、UE115への送信のためのスケジューリングを協調させ得る。いくつかの例では、局間通信マネージャ1150は、基地局105間の通信を行うために、ロングタームエボリューション(LTE)/LTE-Aワイヤレス通信ネットワーク技術内のX2インターフェースを提供し得る。
【０２１８】
図12は、本開示の態様による、ショートTTI用のCSI報告のための方法1200を示すフローチャートを示す。方法1200の動作は、本明細書で説明するようなUE115またはその構成要素によって実施され得る。たとえば、方法1200の動作は、図6〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０２１９】
ブロック1205において、UE115は、第1の持続時間のTTIに関連する第1のチャネル状態情報(CSI)報告構成を識別し得る。ブロック1205の動作は、本明細書で説明する方法に従って実行され得る。いくつかの例では、ブロック1205の動作の態様は、図6〜図8を参照しながら説明したようなCSIマネージャによって実行され得る。
【０２２０】
ブロック1210において、UE115は、第1の持続時間よりも短い第2の持続時間のTTIに関連する第2のCSI報告構成を識別し得る。ブロック1210の動作は、本明細書で説明する方法に従って実行され得る。いくつかの例では、ブロック1210の動作の態様は、図6〜図8を参照しながら説明したようなCSIマネージャによって実行され得る。
【０２２１】
ブロック1215において、UE115は、第1のCSI報告構成もしくは第2のCSI報告構成、またはその両方に対して、CSIを報告すべきかどうかを決定し得る。ブロック1215の動作は、本明細書で説明する方法に従って実行され得る。いくつかの例では、ブロック1215の動作の態様は、図6〜図8を参照しながら説明したようなCSIレポータによって実行され得る。
【０２２２】
ブロック1220において、UE115は、決定に従ってCSI報告を送信し得る。ブロック1220の動作は、本明細書で説明する方法に従って実行され得る。いくつかの例では、ブロック1220の動作の態様は、図6〜図8を参照しながら説明したような送信機によって実行され得る。
【０２２３】
図13は、本開示の態様による、ショートTTI用のCSI報告のための方法1300を示すフローチャートを示す。方法1300の動作は、本明細書で説明するようなUE115またはその構成要素によって実施され得る。たとえば、方法1300の動作は、図6〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０２２４】
ブロック1305において、UE115は、第1の持続時間のTTIに関連する第1のチャネル状態情報(CSI)報告構成を識別し得る。ブロック1305の動作は、本明細書で説明する方法に従って実行され得る。いくつかの例では、ブロック1305の動作の態様は、図6〜図8を参照しながら説明したようなCSIマネージャによって実行され得る。
【０２２５】
ブロック1310において、UE115は、第1の持続時間よりも短い第2の持続時間のTTIに関連する第2のCSI報告構成を識別し得る。ブロック1310の動作は、本明細書で説明する方法に従って実行され得る。いくつかの例では、ブロック1310の動作の態様は、図6〜図8を参照しながら説明したようなCSIマネージャによって実行され得る。
【０２２６】
ブロック1315において、UE115は、第1のCSI報告構成もしくは第2のCSI報告構成、またはその両方に対して、CSIを報告すべきかどうかを決定し得る。ブロック1315の動作は、本明細書で説明する方法に従って実行され得る。いくつかの例では、ブロック1315の動作の態様は、図6〜図8を参照しながら説明したようなCSIレポータによって実行され得る。
【０２２７】
ブロック1320において、UE115は、CSIを決定するための、第2の持続時間のTTIの中の少なくとも1つの基準リソースを識別し得る。ブロック1320の動作は、本明細書で説明する方法に従って実行され得る。いくつかの例では、ブロック1320の動作の態様は、図6〜図8を参照しながら説明したようなCSIリソース識別器によって実行され得る。
【０２２８】
ブロック1325において、UE115は、決定に従ってCSI報告を送信し得る。ブロック1325の動作は、本明細書で説明する方法に従って実行され得る。いくつかの例では、ブロック1325の動作の態様は、図6〜図8を参照しながら説明したような送信機によって実行され得る。
【０２２９】
図14は、本開示の態様による、ショートTTI用のCSI報告のための方法1400を示すフローチャートを示す。方法1400の動作は、本明細書で説明するようなUE115またはその構成要素によって実施され得る。たとえば、方法1400の動作は、図6〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０２３０】
ブロック1405において、UE115は、第1の持続時間のTTIに関連する第1のチャネル状態情報(CSI)報告構成を識別し得る。ブロック1405の動作は、本明細書で説明する方法に従って実行され得る。いくつかの例では、ブロック1405の動作の態様は、図6〜図8を参照しながら説明したようなCSIマネージャによって実行され得る。
【０２３１】
ブロック1410において、UE115は、第1の持続時間よりも短い第2の持続時間のTTIに関連する第2のCSI報告構成を識別し得る。ブロック1410の動作は、本明細書で説明する方法に従って実行され得る。いくつかの例では、ブロック1410の動作の態様は、図6〜図8を参照しながら説明したようなCSIマネージャによって実行され得る。
【０２３２】
ブロック1415において、UE115は、第1のCSIプロセスを第1のCSI報告構成に、また第2のCSIプロセスを第2のCSI報告構成に関連付け得る。ブロック1415の動作は、本明細書で説明する方法に従って実行され得る。いくつかの例では、ブロック1415の動作の態様は、図6〜図8を参照しながら説明したようなCSIマネージャによって実行され得る。
【０２３３】
ブロック1420において、UE115は、第1のCSI報告構成もしくは第2のCSI報告構成、またはその両方に対して、CSIを報告すべきかどうかを決定し得る。ブロック1420の動作は、本明細書で説明する方法に従って実行され得る。いくつかの例では、ブロック1420の動作の態様は、図6〜図8を参照しながら説明したようなCSIレポータによって実行され得る。
【０２３４】
ブロック1425において、UE115は、決定に従ってCSI報告を送信し得る。ブロック1425の動作は、本明細書で説明する方法に従って実行され得る。いくつかの例では、ブロック1425の動作の態様は、図6〜図8を参照しながら説明したような送信機によって実行され得る。
【０２３５】
図15は、本開示の態様による、ショートTTI用のCSI報告のための方法1500を示すフローチャートを示す。方法1500の動作は、本明細書で説明するようなUE115またはその構成要素によって実施され得る。たとえば、方法1500の動作は、図6〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０２３６】
ブロック1505において、UE115は、第1の持続時間のTTIに関連する第1のチャネル状態情報(CSI)報告構成を識別し得る。ブロック1505の動作は、本明細書で説明する方法に従って実行され得る。いくつかの例では、ブロック1505の動作の態様は、図6〜図8を参照しながら説明したようなCSIマネージャによって実行され得る。
【０２３７】
ブロック1510において、UE115は、第1の持続時間よりも短い第2の持続時間のTTIに関連する第2のCSI報告構成を識別し得る。ブロック1510の動作は、本明細書で説明する方法に従って実行され得る。いくつかの例では、ブロック1510の動作の態様は、図6〜図8を参照しながら説明したようなCSIマネージャによって実行され得る。
【０２３８】
ブロック1515において、UE115は、第1のCSI報告構成に対して第1のNZP基準信号リソースおよび第1の干渉測定(IM)リソースの第1のパターンを識別し得、第1のパターンは、第1の周期性および第1のオフセットに関連する。ブロック1515の動作は、本明細書で説明する方法に従って実行され得る。いくつかの例では、ブロック1515の動作の態様は、図6〜図8を参照しながら説明したようなCSIリソース識別器によって実行され得る。
【０２３９】
ブロック1520において、UE115は、第2のCSI報告構成に対して第2のNZP基準信号リソースおよび第2のIMリソースの第2のパターンを決定し得、第2のパターンは、第2の周期性および第2のオフセットに関連する。ブロック1520の動作は、本明細書で説明する方法に従って実行され得る。いくつかの例では、ブロック1520の動作の態様は、図6〜図8を参照しながら説明したようなCSIリソース識別器によって実行され得る。
【０２４０】
ブロック1525において、UE115は、第1のCSI報告構成もしくは第2のCSI報告構成、またはその両方に対して、CSIを報告すべきかどうかを決定し得る。ブロック1525の動作は、本明細書で説明する方法に従って実行され得る。いくつかの例では、ブロック1525の動作の態様は、図6〜図8を参照しながら説明したようなCSIレポータによって実行され得る。
【０２４１】
ブロック1530において、UE115は、決定に従ってCSI報告を送信し得る。ブロック1530の動作は、本明細書で説明する方法に従って実行され得る。いくつかの例では、ブロック1530の動作の態様は、図6〜図8を参照しながら説明したような送信機によって実行され得る。
【０２４２】
図16は、本開示の態様による、ショートTTI用のCSI報告のための方法1600を示すフローチャートを示す。方法1600の動作は、本明細書で説明するようなUE115またはその構成要素によって実施され得る。たとえば、方法1600の動作は、図6〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０２４３】
ブロック1605において、UE115は、第1の持続時間のTTIに関連する第1のチャネル状態情報(CSI)報告構成を識別し得る。ブロック1605の動作は、本明細書で説明する方法に従って実行され得る。いくつかの例では、ブロック1605の動作の態様は、図6〜図8を参照しながら説明したようなCSIマネージャによって実行され得る。
【０２４４】
ブロック1610において、UE115は、第1の持続時間よりも短い第2の持続時間のTTIに関連する第2のCSI報告構成を識別し得る。ブロック1610の動作は、本明細書で説明する方法に従って実行され得る。いくつかの例では、ブロック1610の動作の態様は、図6〜図8を参照しながら説明したようなCSIマネージャによって実行され得る。
【０２４５】
ブロック1615において、UE115は、第1のCSI報告構成に対して第1のNZP基準信号リソースおよび第1の干渉測定(IM)リソースの第1のパターンを識別し得、第1のパターンは、第1の周期性および第1のオフセットに関連する。ブロック1615の動作は、本明細書で説明する方法に従って実行され得る。いくつかの例では、ブロック1615の動作の態様は、図6〜図8を参照しながら説明したようなCSIリソース識別器によって実行され得る。
【０２４６】
ブロック1620において、UE115は、第1の持続時間のTTIの中で、第2のCSI報告構成に対する1つまたは複数のNZP基準信号リソースおよび1つまたは複数のIMリソースの存在の表示を受信し得、第1の持続時間のTTIは、第1のパターンの第1のNZP基準信号リソースのサブセットおよび第1のIMリソースのサブセットを備える。ブロック1620の動作は、本明細書で説明する方法に従って実行され得る。いくつかの例では、ブロック1620の動作の態様は、図6〜図8を参照しながら説明したようなCSIリソース識別器によって実行され得る。
【０２４７】
ブロック1625において、UE115は、第1のCSI報告構成もしくは第2のCSI報告構成、またはその両方に対して、CSIを報告すべきかどうかを決定し得る。ブロック1625の動作は、本明細書で説明する方法に従って実行され得る。いくつかの例では、ブロック1625の動作の態様は、図6〜図8を参照しながら説明したようなCSIレポータによって実行され得る。
【０２４８】
ブロック1630において、UE115は、決定に従ってCSI報告を送信し得る。ブロック1630の動作は、本明細書で説明する方法に従って実行され得る。いくつかの例では、ブロック1630の動作の態様は、図6〜図8を参照しながら説明したような送信機によって実行され得る。
【０２４９】
図17は、本開示の態様による、ショートTTI用のCSI報告のための方法1700を示すフローチャートを示す。方法1700の動作は、本明細書で説明するような基地局105またはその構成要素によって実施され得る。たとえば、方法1700の動作は、図9〜図11を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０２５０】
ブロック1705において、基地局105は、第1の持続時間のTTIに関連する第1のチャネル状態情報(CSI)報告構成を識別し得る。ブロック1705の動作は、本明細書で説明する方法に従って実行され得る。いくつかの例では、ブロック1705の動作の態様は、図9〜図11を参照しながら説明したようなCSIマネージャによって実行され得る。
【０２５１】
ブロック1710において、基地局105は、第1の持続時間よりも短い第2の持続時間のTTIに関連する第2のCSI報告構成を識別し得る。ブロック1710の動作は、本明細書で説明する方法に従って実行され得る。いくつかの例では、ブロック1710の動作の態様は、図9〜図11を参照しながら説明したようなCSIマネージャによって実行され得る。
【０２５２】
ブロック1715において、基地局105は、第1のCSI報告構成もしくは第2のCSI報告構成、またはその両方に対して、CSIを報告するようにワイヤレスデバイスを構成し得る。ブロック1715の動作は、本明細書で説明する方法に従って実行され得る。いくつかの例では、ブロック1715の動作の態様は、図9〜図11を参照しながら説明したようなCSIレポータによって実行され得る。
【０２５３】
ブロック1720において、基地局105は、決定に従ってCSI報告を送信し得る。ブロック1720の動作は、本明細書で説明する方法に従って実行され得る。いくつかの例では、ブロック1720の動作の態様は、図9〜図11を参照しながら説明したような送信機によって実行され得る。
【０２５４】
上記で説明した方法が、可能な実装形態を説明していること、動作およびステップが再構成されてよくまたは他の方法で修正されてよいこと、ならびに他の実装形態が可能であることに留意されたい。さらに、方法のうちの2つ以上からの態様が組み合わせられてよい。
【０２５５】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの、様々なワイヤレス通信システムのために使用され得る。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM(登録商標))などの無線技術を実装し得る。
【０２５６】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の団体からの文書の中に記載されている。CDMA2000およびUMBは、「第3世代パートナーシッププロジェクト2」(3GPP2)という名称の団体からの文書の中に記載されている。本明細書で説明した技法は、上述のシステムおよび無線技術ならびに他のシステムおよび無線技術のために使用され得る。LTEまたはNRシステムの態様が例として説明されることがあり、LTEまたはNR用語が説明の大部分において使用され得るが、本明細書で説明した技法はLTEまたはNR適用例を越えて適用可能である。
【０２５７】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連することがあり、スモールセルは、マクロセルと同じかまたは異なる周波数帯域(たとえば、認可、無認可など)の中で動作し得る。スモールセルは、様々な例によれば、ピコセル、フェムトセル、およびマイクロセルを含んでよい。ピコセルは、たとえば、小さい地理的エリアをカバーしてよく、ネットワークプロバイダのサービスに加入しているUE115による無制限アクセスを可能にし得る。フェムトセルも、小さい地理的エリア(たとえば、自宅)をカバーしてよく、フェムトセルとの関連付けを有するUE115(たとえば、限定加入者グループ(CSG：closed subscriber group)の中のUE115、自宅の中のユーザ用のUE115など)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セルをサポートし得、1つまたは複数のコンポーネントキャリアを使用する通信もサポートし得る。
【０２５８】
本明細書で説明した1つまたは複数のワイヤレス通信システム100は、同期動作または非同期動作をサポートし得る。同期動作の場合、基地局105は、類似のフレームタイミングを有してよく、異なる基地局105からの送信は、時間的にほぼ位置合わせされ得る。非同期動作の場合、基地局105は、異なるフレームタイミングを有することがあり、異なる基地局105からの送信は、時間的に位置合わせされないことがある。本明細書で説明した技法は、同期動作または非同期動作のいずれにも使用され得る。
【０２５９】
本明細書で説明した情報および信号は、多種多様な技術および技法のいずれかを使用して表されてよい。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０２６０】
本明細書の本開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０２６１】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてもよい。他の例および実装形態が、本開示および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装され得る。機能を実施する特徴はまた、機能の部分が異なる物理的ロケーションにおいて実装されるように分散されることを含めて、様々な位置に物理的に配置されてよい。
【０２６２】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用もしくは専用コンピュータまたは汎用もしくは専用プロセッサによってアクセスされ得る、任意の他の非一時的媒体を備えてよい。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ここで、ディスク(disk)は、通常、データを磁気的に再生し、ディスク(disc)は、レーザーを用いてデータを光学的に再生する。上記のものの組合せも、コンピュータ可読媒体の範囲内に含まれる。
【０２６３】
特許請求の範囲内を含めて本明細書で使用するとき、項目のリスト(たとえば、「のうちの少なくとも1つ」または「のうちの1つまたは複数」)などの句で終わる項目のリストにおいて使用される「または」は、たとえば、A、B、またはCのうちの少なくとも1つというリストが、AまたはBまたはCまたはABまたはACまたはBCまたはABC(すなわち、AおよびBおよびC)を意味するような、包括的リストを示す。また、本明細書で使用する「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同じように解釈されるべきである。
【０２６４】
添付の図面では、類似の構成要素または特徴は同じ参照ラベルを有してよい。さらに、同じタイプの様々な構成要素は、参照ラベルの後に、ダッシュ、および類似の構成要素を区別する第2のラベルを続けることによって区別され得る。第1の参照ラベルのみが本明細書で使用される場合、説明は、第2の参照ラベルまたは他の後続の参照ラベルにかかわらず、同じ第1の参照ラベルを有する類似の構成要素のうちのいずれにも適用可能である。
【０２６５】
添付の図面に関して本明細書に記載する説明は、例示的な構成を説明しており、実装され得るかまたは特許請求の範囲内に入るすべての例を表すとは限らない。本明細書で使用する「例示的」という用語は、「例、事例、または例示として働くこと」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形態で示される。
【０２６６】
本明細書での説明は、当業者が本開示を作成または使用することを可能にするために提供される。本開示の様々な修正は当業者には容易に明らかとなり、本明細書で定義する一般原理は、本開示の範囲から逸脱することなく他の変形形態に適用され得る。したがって、本開示は、本明細書で説明した例および設計に限定されず、本明細書で開示する原理および新規の特徴に合致する最も広い範囲を与えられるべきである。
【符号の説明】
【０２６７】
100  ワイヤレス通信システム
105  基地局
110  地理的カバレージエリア
115  ユーザ機器(UE)
125  通信リンク
130  コアネットワーク
132、134  バックホールリンク
200  ワイヤレス通信サブシステム
205  ダウンリンク
210  アップリンク
215  ダウンリンク送信
220  アップリンク送信
225  TTI
230  sTTI
235  CSI報告
300-a、300-b  CSI報告
305-a、305-b  基準sTTI
310-a、310-b  基準TTI
315-a、315-b  報告sTTI
320-a、320-b  報告TTI
325-a、325-b  基準sTTI
330-a  基準TTI
335-a  報告sTTI
340-a  報告TTI
345-a  sTTI周期性
350-a  TTI周期性
355-b  sTTIトリガ
360-b  TTIトリガ
400  基準信号構成
405  リソースブロック
410-a  第1の低レイテンシIMリソース
410-b  第2の低レイテンシIMリソース
415-a  第1の低レイテンシCSI-RSリソース
415-b  第2の低レイテンシCSI-RSリソース
415-c  第3の低レイテンシCSI-RSリソース
420-a、420-b、420-c  基準sTTI候補
605  ワイヤレスデバイス
610  受信機
615  UE通信マネージャ
620  送信機
705  ワイヤレスデバイス
710  受信機
715  UE通信マネージャ
720  CSIマネージャ
725  CSIレポータ
730  CSIリソース識別器
735  CSI生成器
740  送信機
800  システム
805  デバイス
810  バス
815  UE通信マネージャ
820  プロセッサ
825  メモリ
830  ソフトウェア
835  トランシーバ
840  アンテナ
845  I/Oコントローラ
905  ワイヤレスデバイス
910  受信機
915  基地局通信マネージャ
920  送信機
1005  ワイヤレスデバイス
1010  受信機
1015  基地局通信マネージャ
1020  送信機
1025  CSIマネージャ
1030  CSIレポータ
1035  CSIリソーススケジューラ
1040  CSIリソースマッパ
1100  システム
1105  デバイス
1110  バス
1115  基地局通信マネージャ
1120  プロセッサ
1125  メモリ
1130  ソフトウェア
1135  トランシーバ
1140  アンテナ
1145  ネットワーク通信マネージャ
1150  局間通信マネージャ
【図１】
2020530686.tif 000003
【図２】
2020530686.tif 000004
【図３Ａ】
2020530686.tif 000005
【図３Ｂ】
2020530686.tif 000006
【図４】
2020530686.tif 000007
【図５】
2020530686.tif 000008
【図６】
2020530686.tif 000009
【図７】
2020530686.tif 000010
【図８】
2020530686.tif 000011
【図９】
2020530686.tif 000012
【図１０】
2020530686.tif 000013
【図１１】
2020530686.tif 000014
【図１２】
2020530686.tif 000015
【図１３】
2020530686.tif 000016
【図１４】
2020530686.tif 000017
【図１５】
2020530686.tif 000018
【図１６】
2020530686.tif 000019
【図１７】
2020530686.tif 000020
【国際調査報告】
2020530686.tif 000021
2020530686.tif 000022
2020530686.tif 000023
2020530686.tif 000024
2020530686.tif 000025